(57)【要約】【目的】マルチビーム描画において欠陥ビームが存在する場合でも最大照射時間の増大を抑制することが可能な装置を提供する。【構成】本発明の一態様のマルチ荷電粒子ビーム描画装置は、欠陥ビームが識別可能な欠陥ビーム情報を用いて、マルチ荷電粒子ビームの設計上の照射位置となる複数の設計グリッドの設計グリッド毎に、実際の照射位置が当該設計グリッドに近接または略一致する欠陥ビームを除く３つ以上のビームに、分配後の各分配ドーズ量の重心位置及び総和が当該設計グリッド位置及び当該設計グリッドに照射される予定のドーズ量に一致するように当該設計グリッドに照射される予定のドーズ量を分配するための、かかる３つ以上のビームの各ビームへの分配係数を演算するドーズ分配係数演算部６４と、各設計グリッドに照射される予定のドーズ量がそれぞれ対応する３つ以上のビームに分配されたマルチ荷電粒子ビームを用いて、試料にパターンを描画する描画機構１５０と、を備えたことを特徴とする。【選択図】図１
2019033117.tif 000002
【特許請求の範囲】
【請求項１】
荷電粒子ビームを放出する放出源と、
前記荷電粒子ビームの照射を受け、マルチ荷電粒子ビームを形成する成形アパーチャアレイ基板と、
欠陥ビームが識別可能な欠陥ビーム情報を用いて、前記マルチ荷電粒子ビームの設計上の照射位置となる複数の設計グリッドの設計グリッド毎に、実際の照射位置が当該設計グリッドに近接または略一致する前記欠陥ビームを除く３つ以上のビームに、分配後の各分配ドーズ量の重心位置及び総和が当該設計グリッド位置及び当該設計グリッドに照射される予定のドーズ量に一致するように当該設計グリッドに照射される予定の前記ドーズ量を分配するための、前記３つ以上のビームの各ビームへの分配係数を演算する分配係数演算部と、
各設計グリッドに照射される予定の前記ドーズ量がそれぞれ対応する前記３つ以上のビームに分配されたマルチ荷電粒子ビームを用いて、試料にパターンを描画する描画機構と、
を備えたことを特徴とするマルチ荷電粒子ビーム描画装置。
【請求項２】
前記各設計グリッドに照射される予定の前記ドーズ量は前記実際の照射位置が当該設計グリッドに近接する前記欠陥ビームを除く４つのビームに分配され、
前記設計グリッド毎に、前記実際の照射位置が当該設計グリッドに近接する前記４つのビームとして、当該設計グリッドを通る角度の異なる２直線によって分割される４つの領域からそれぞれ最近接の照射位置に対応するビームを選択する近接ビーム選択部をさらに備えたことを特徴とする請求項１記載のマルチ荷電粒子ビーム描画装置。
【請求項３】
荷電粒子ビームを放出する放出源と、
前記荷電粒子ビームの照射を受け、マルチ荷電粒子ビームを形成する成形アパーチャアレイ基板と、
前記マルチ荷電粒子ビームの設計上の照射位置となる複数の設計グリッドの設計グリッド毎に、実際の照射位置が当該設計グリッドに近接または略一致する３つ以上のビームに、分配後の各分配ドーズ量の重心位置及び総和が当該設計グリッド位置及び当該設計グリッドに照射される予定のドーズ量に一致するように当該設計グリッドに照射される予定の前記ドーズ量を分配するための、前記３つ以上のビームの各ビームへの分配係数を演算する分配係数演算部と、
欠陥ビームが識別可能な欠陥ビーム情報を用いて、前記欠陥ビームを特定する特定部と、
特定された前記欠陥ビームについて、当該欠陥ビームの周囲の複数のビームに、当該欠陥ビームに分配される分配ドーズ量を再分配する再分配部と、
各設計グリッドに照射される予定の前記ドーズ量がそれぞれ前記欠陥ビームを除く対応する３つ以上のビームに分配されたマルチ荷電粒子ビームを用いて、試料にパターンを描画する描画機構と、
を備えたことを特徴とするマルチ荷電粒子ビーム描画装置。
【請求項４】
再分配先となる前記複数のビームとして、再分配される各再分配ドーズ量の重心位置が当該欠陥ビームの照射位置からずれる位置ずれ量が、できるだけ小さくなる組み合わせのビーム群を選択する再分配ビーム選択部をさらに備えたことを特徴とする請求項３記載のマルチ荷電粒子ビーム描画装置。
【請求項５】
欠陥ビームが識別可能な欠陥ビーム情報を用いて、マルチ荷電粒子ビームの設計上の照射位置となる複数の設計グリッドの設計グリッド毎に、実際の照射位置が当該設計グリッドに近接または略一致する前記欠陥ビームを除く３つ以上のビームに、分配後の各分配ドーズ量の重心位置及び総和が当該設計グリッド位置及び当該設計グリッドに照射される予定のドーズ量に一致するように当該設計グリッドに照射される予定の前記ドーズ量を分配するための、前記３つ以上のビームの各ビームへの分配係数を演算する工程と、
各設計グリッドに照射される予定の前記ドーズ量がそれぞれ対応する前記３つ以上のビームに分配されたマルチ荷電粒子ビームを用いて、試料にパターンを描画する工程と、
を備えたことを特徴とするマルチ荷電粒子ビーム描画方法。
【請求項６】
マルチ荷電粒子ビームを用いた描画において、
ドーズ量が異常に少ない欠陥ビームを使わずに欠陥ビームの周囲のビームのドーズ量を増やすことにより欠陥ビームの影響を補正する描画方法であって、
欠陥ビームが識別可能な欠陥ビーム情報を用いて、欠陥ビームと欠陥ビームに近接するビームの組を同定する工程と、
欠陥ビームに近接するビームの組から３つ以上のビームの組を複数選択する工程と、
前記ビームの各組について同一の計算式で欠陥ビームから近接する正常ビームにドーズ量を移す工程と、
前記ビームの各組毎にドーズ量の移動前後でのドーズ量の重心位置の変化量を計算する工程と、
前記ビームの各組のうち、前記重心位置の変化が最小になる組を選択する工程と、
前記選択された工程を用いて描画を行う工程と、
を備えたことを特徴とするマルチ荷電粒子ビーム描画方法。
【発明の詳細な説明】
【技術分野】
【０００１】
本発明は、マルチ荷電粒子ビーム描画装置及びマルチ荷電粒子ビーム描画方法に係り、例えば、マルチビーム描画の最大照射時間を制御する方法に関する。
【背景技術】
【０００２】
半導体デバイスの微細化の進展を担うリソグラフィ技術は半導体製造プロセスのなかでも唯一パターンを生成する極めて重要なプロセスである。近年、ＬＳＩの高集積化に伴い、半導体デバイスに要求される回路線幅は年々微細化されてきている。ここで、電子線（電子ビーム）描画技術は本質的に優れた解像性を有しており、マスクブランクスへ電子線を使ってマスクパターンを描画することが行われている。
【０００３】
例えば、マルチビームを使った描画装置がある。１本の電子ビームで描画する場合に比べて、マルチビームを用いることで一度に多くのビームを照射できるのでスループットを大幅に向上させることができる。かかるマルチビーム方式の描画装置では、例えば、電子銃から放出された電子ビームを複数の穴を持ったマスクに通してマルチビームを形成し、各々、ブランキング制御され、遮蔽されなかった各ビームが光学系で縮小され、マスク像が縮小されて、偏向器で偏向され試料上の所望の位置へと照射される。
【０００４】
マルチビーム描画では、各ビームの照射量を照射時間によって制御している。しかしながら、マルチビームを同時期に照射するため、１ショットあたりのショット時間は、各ビームの最大照射時間によって律速される。描画中のステージを等速連続移動にする場合、ステージ速度は、マルチビームの全ショットにおける最大の照射時間を照射可能とする速度で定義されることになる。よって、最大の照射時間のショットが、ショットサイクルとステージ速度を制約することになる。最大照射時間が大きくなれば、その分、描画装置のスループットは低下することになる。
【０００５】
ここで、各ビームの照射量は、近接効果等の現象により生じる寸法変動を補正するためにドーズ変調が行われる。さらに、マルチビームでは、光学系の特性上、露光フィールドに歪が生じ、かかる歪等によって、個々のビームの照射位置が理想グリッドからずれてしまう。しかし、マルチビームでは、個々のビームを個別に偏向することは難しいので個々のビームの試料面上の位置を個別に制御することは困難である。そのため、各ビームの位置ずれをドーズ変調によって補正することが行われる（例えば、特許文献１参照）。これらのドーズ変調を行うとなると、各照射位置へと照射される照射量の範囲は、基準ドーズに対して、ドーズ変調の範囲が例えば数１００％必要となる。よって、益々、最大照射時間が大きくなってしまう。
【０００６】
さらに、マルチビーム描画では、マルチビームを個別にブランキング制御する、マルチビームのビーム数に見合う個別ブランキング機構が配置される。しかし、個別ブランキング機構の故障等により、マルチビームの中に常時ＯＦＦ或いは露光時間制御不能等の欠陥ビームが生じることがある。かかる欠陥ビームを描画に使用することができないので、欠陥ビームが存在する場合、欠陥ビームを除いたビームで描画処理を進めることになる。その場合、欠陥ビームで照射されるべき個所にビームが照射されないので、かかる個所を別のビームで補完露光する必要が生じる。かかる補完露光処理を通常の描画処理に追加する場合、描画処理動作が追加される分、描画装置のスループットが低下してしまう。そのため、通常の多重描画処理を行いながら、いずれかの描画処理の中で、欠陥ビームで照射されるべき個所に別のビームで補完露光することが想定される。かかる場合、補完露光の分、照射時間を長く設定する必要が生じる。そのため、最大照射時間を長くする必要が生じてしまう。よって、その分、描画装置のスループットは低下することになる。
【先行技術文献】
【特許文献】
【０００７】
【特許文献１】特開２０１６−１０３５５７号公報
【発明の概要】
【発明が解決しようとする課題】
【０００８】
そこで、本発明の一態様は、マルチビーム描画において欠陥ビームが存在する場合でも最大照射時間の増大を抑制することが可能な装置及び方法を提供する。
【課題を解決するための手段】
【０００９】
本発明の一態様のマルチ荷電粒子ビーム描画装置は、
荷電粒子ビームを放出する放出源と、
荷電粒子ビームの照射を受け、マルチ荷電粒子ビームを形成する成形アパーチャアレイ基板と、
欠陥ビームが識別可能な欠陥ビーム情報を用いて、マルチ荷電粒子ビームの設計上の照射位置となる複数の設計グリッドの設計グリッド毎に、実際の照射位置が当該設計グリッドに近接または略一致する欠陥ビームを除く３つ以上のビームに、分配後の各分配ドーズ量の重心位置及び総和が当該設計グリッド位置及び当該設計グリッドに照射される予定のドーズ量に一致するように当該設計グリッドに照射される予定のドーズ量を分配するための、かかる３つ以上のビームの各ビームへの分配係数を演算する分配係数演算部と、
各設計グリッドに照射される予定のドーズ量がそれぞれ対応する３つ以上のビームに分配されたマルチ荷電粒子ビームを用いて、試料にパターンを描画する描画機構と、
を備えたことを特徴とする。
【００１０】
また、各設計グリッドに照射される予定のドーズ量は実際の照射位置が当該設計グリッドに近接する欠陥ビームを除く４つのビームに分配され、
設計グリッド毎に、実際の照射位置が当該設計グリッドに近接する４つのビームとして、当該設計グリッドを通る角度の異なる２直線によって分割される４つの領域からそれぞれ最近接の照射位置に対応するビームを選択する近接ビーム選択部をさらに備えると好適である。
【００１１】
本発明の他の態様のマルチ荷電粒子ビーム描画装置は、
荷電粒子ビームを放出する放出源と、
荷電粒子ビームの照射を受け、マルチ荷電粒子ビームを形成する成形アパーチャアレイ基板と、
マルチ荷電粒子ビームの設計上の照射位置となる複数の設計グリッドの設計グリッド毎に、実際の照射位置が当該設計グリッドに近接または略一致する３つ以上のビームに、分配後の各分配ドーズ量の重心位置及び総和が当該設計グリッド位置及び当該設計グリッドに照射される予定のドーズ量に一致するように当該設計グリッドに照射される予定のドーズ量を分配するための、３つ以上のビームの各ビームへの分配係数を演算する分配係数演算部と、
欠陥ビームが識別可能な欠陥ビーム情報を用いて、欠陥ビームを特定する特定部と、
特定された欠陥ビームについて、当該欠陥ビームの周囲の複数のビームに、当該欠陥ビームに分配される分配ドーズ量を再分配する再分配部と、
各設計グリッドに照射される予定のドーズ量がそれぞれ欠陥ビームを除く対応する３つ以上のビームに分配されたマルチ荷電粒子ビームを用いて、試料にパターンを描画する描画機構と、
を備えたことを特徴とする。
【００１２】
また、再分配先となる複数のビームとして、再分配される各再分配ドーズ量の重心位置が当該欠陥ビームの照射位置からずれる位置ずれ量が、できるだけ小さくなる組み合わせのビーム群を選択する再分配ビーム選択部をさらに備えると好適である。
【００１３】
本発明の一態様のマルチ荷電粒子ビーム描画方法は、
欠陥ビームが識別可能な欠陥ビーム情報を用いて、マルチ荷電粒子ビームの設計上の照射位置となる複数の設計グリッドの設計グリッド毎に、実際の照射位置が当該設計グリッドに近接または略一致する欠陥ビームを除く３つ以上のビームに、分配後の各分配ドーズ量の重心位置及び総和が当該設計グリッド位置及び当該設計グリッドに照射される予定のドーズ量に一致するように当該設計グリッドに照射される予定のドーズ量を分配するための、３つ以上のビームの各ビームへの分配係数を演算する工程と、
各設計グリッドに照射される予定のドーズ量がそれぞれ対応する３つ以上のビームに分配されたマルチ荷電粒子ビームを用いて、試料にパターンを描画する工程と、
を備えたことを特徴とする。
【００１４】
本発明の他の態様のマルチ荷電粒子ビーム描画方法は、
マルチ荷電粒子ビームを用いた描画において、
ドーズ量が異常に少ない欠陥ビームを使わずに欠陥ビームの周囲のビームのドーズ量を増やすことにより欠陥ビームの影響を補正する描画方法であって、
欠陥ビームが識別可能な欠陥ビーム情報を用いて、欠陥ビームと欠陥ビームに近接するビームの組を同定する工程と、
欠陥ビームに近接するビームの組から３つ以上のビームの組を複数選択する工程と、
ビームの各組について同一の計算式で欠陥ビームから近接する正常ビームにドーズ量を移す工程と、
ビームの各組毎にドーズ量の移動前後でのドーズ量の重心位置の変化量を計算する工程と、
ビームの各組のうち、重心位置の変化が最小になる組を選択する工程と、
選択された工程を用いて描画を行う工程と、
を備えたことを特徴とする。
【発明の効果】
【００１５】
本発明の一態様によれば、マルチビーム描画において欠陥ビームが存在する場合でもドーズ変調の変調幅を小さく抑えることができる。よって、最大照射時間の増大を抑制できる。その結果、スループットの劣化を低減できる。
【図面の簡単な説明】
【００１６】
【図１】実施の形態１における描画装置の構成を示す概念図である。
【図２】実施の形態１における成形アパーチャアレイ基板の構成を示す概念図である。
【図３】実施の形態１におけるブランキングアパーチャアレイ機構の構成を示す断面図である。
【図４】実施の形態１におけるブランキングアパーチャアレイ機構のメンブレン領域内の構成の一部を示す上面概念図である。
【図５】実施の形態１の個別ブランキング機構の一例を示す図である。
【図６】実施の形態１における描画動作の一例を説明するための概念図である。
【図７】実施の形態１におけるマルチビームの照射領域と描画対象画素との一例を示す図である。
【図８】実施の形態１におけるマルチビームの描画方法の一例を説明するための図である。
【図９】実施の形態１における描画方法の要部工程を示すフローチャート図である。
【図１０】実施の形態１におけるビームの位置ずれと位置ずれ周期性とを説明するための図である。
【図１１】実施の形態１におけるドーズ分配テーブル作成工程の内部工程の一例を示すフローチャート図である。
【図１２】実施の形態１における近接ビームの探索手法を説明するための図である。
【図１３】実施の形態１における制御グリッドと各ビームの実際の照射位置との一例を示す図である。
【図１４】実施の形態１における周囲３つの近接ビームへのドーズ分配の仕方を説明するための図である。
【図１５】実施の形態１におけるドーズ分配テーブルの一例を示す図である。
【図１６】実施の形態１におけるドーズ分配により描画されるパターンエッジ位置の一例を示す図である。
【図１７】実施の形態２における描画装置の構成を示す概念図である。
【図１８】実施の形態２における描画方法の要部工程を示すフローチャート図である。
【図１９】実施の形態２におけるドーズ分配テーブル調整工程の内部工程を示すフローチャート図である。
【図２０】実施の形態２における欠陥ビームに近接する近接ビームの探索手法を説明するための図である。
【図２１】実施の形態２における修正後のドーズ分配テーブルの一例を示す図である。
【図２２】実施の形態３における描画装置の構成を示す概念図である。
【図２３】実施の形態３における描画方法の要部工程を示すフローチャート図である。
【発明を実施するための形態】
【００１７】
以下、実施の形態では、荷電粒子ビームの一例として、電子ビームを用いた構成について説明する。但し、荷電粒子ビームは、電子ビームに限るものではなく、イオンビーム等の荷電粒子を用いたビームでも構わない。
【００１８】
実施の形態１．
図１は、実施の形態１における描画装置の構成を示す概念図である。図１において、描画装置１００は、描画機構１５０と制御系回路１６０を備えている。描画装置１００は、マルチ荷電粒子ビーム描画装置の一例である。描画機構１５０は、電子鏡筒１０２（マルチ電子ビームカラム）と描画室１０３を備えている。電子鏡筒１０２内には、電子銃２０１、照明レンズ２０２、成形アパーチャアレイ基板２０３、ブランキングアパーチャアレイ機構２０４、縮小レンズ２０５、制限アパーチャ基板２０６、対物レンズ２０７、偏向器２０８、及び偏向器２０９が配置されている。描画室１０３内には、ＸＹステージ１０５が配置される。ＸＹステージ１０５上には、描画時には描画対象基板となるレジストが塗布されたマスクブランクス等の試料１０１が配置される。試料１０１には、半導体装置を製造する際の露光用マスク、或いは、半導体装置が製造される半導体基板（シリコンウェハ）等が含まれる。ＸＹステージ１０５上には、さらに、ＸＹステージ１０５の位置測定用のミラー２１０、及び各ビームの電流量を測定するファラディーカップ１０６が配置される。
【００１９】
制御系回路１６０は、制御計算機１１０、メモリ１１２、偏向制御回路１３０、デジタル・アナログ変換（ＤＡＣ）アンプユニット１３２，１３４、アンプ１３８、ステージ位置検出器１３９及び磁気ディスク装置等の記憶装置１４０，１４２，１４４を有している。制御計算機１１０、メモリ１１２、偏向制御回路１３０、ＤＡＣアンプユニット１３２，１３４、アンプ１３８、ステージ位置検出器１３９及び記憶装置１４０，１４２，１４４は、図示しないバスを介して互いに接続されている。偏向制御回路１３０には、ＤＡＣアンプユニット１３２，１３４及びブランキングアパーチャアレイ機構２０４が接続されている。ＤＡＣアンプユニット１３２の出力は、偏向器２０９に接続される。ＤＡＣアンプユニット１３４の出力は、偏向器２０８に接続される。ステージ位置検出器１３９は、レーザ光をＸＹステージ１０５上のミラー２１０に照射し、ミラー２１０からの反射光を受光する。そして、かかる反射光の情報を使ったレーザ干渉の原理を利用してＸＹステージ１０５の位置を測定する。ファラディーカップ１０６から出力は、アンプ１３８に接続される。アンプ１３８は、測定対象となるビームの電流量の情報を制御計算機１１０に出力する。
【００２０】
制御計算機１１０内には、ラスタライズ部５０、照射量マップ作成部５２、ビーム位置ずれマップ作成部５４、選択部５６、探索部５８、組合せ設定部６０、ドーズ分配率演算部６２、ドーズ分配係数演算部６４、ドーズ分配テーブル作成部６６、ドーズ変調部６８、ビーム電流量マップ作成部７０、及び描画制御部７２が配置されている。ラスタライズ部５０、照射量マップ作成部５２、ビーム位置ずれマップ作成部５４、選択部５６、探索部５８、組合せ設定部６０、ドーズ分配率演算部６２、ドーズ分配係数演算部６４、ドーズ分配テーブル作成部６６、ドーズ変調部６８、ビーム電流量マップ作成部７０、及び描画制御部７２といった各「〜部」は、処理回路を有する。かかる処理回路は、例えば、電気回路、コンピュータ、プロセッサ、回路基板、量子回路、或いは、半導体装置を含む。各「〜部」は、共通する処理回路（同じ処理回路）を用いても良いし、或いは異なる処理回路（別々の処理回路）を用いても良い。ラスタライズ部５０、照射量マップ作成部５２、ビーム位置ずれマップ作成部５４、選択部５６、探索部５８、組合せ設定部６０、ドーズ分配率演算部６２、ドーズ分配係数演算部６４、ドーズ分配テーブル作成部６６、ドーズ変調部６８、ビーム電流量マップ作成部７０、及び描画制御部７２に入出力される情報および演算中の情報はメモリ１１２にその都度格納される。
【００２１】
また、描画装置１００の外部から描画データが入力され、記憶装置１４０に格納される。描画データには、通常、描画するための複数の図形パターンの情報が定義される。具体的には、図形パターン毎に、図形コード、座標、及びサイズ等が定義される。
【００２２】
ここで、図１では、実施の形態１を説明する上で必要な構成を記載している。描画装置１００にとって、通常、必要なその他の構成を備えていても構わない。
【００２３】
図２は、実施の形態１における成形アパーチャアレイ基板の構成を示す概念図である。図２において、成形アパーチャアレイ基板２０３には、縦（ｙ方向）ｐ列×横（ｘ方向）ｑ列（ｐ，ｑ≧２）の穴（開口部）２２が所定の配列ピッチでマトリクス状に形成されている。図２では、例えば、縦横（ｘ，ｙ方向）に５１２×５１２列の穴２２が形成される。各穴２２は、共に同じ寸法形状の矩形で形成される。或いは、同じ直径の円形であっても構わない。これらの複数の穴２２を電子ビーム２００の一部がそれぞれ通過することで、マルチビーム２０が形成されることになる。また、穴２２の配列の仕方は、図２のように、縦横が格子状に配置される場合に限るものではない。例えば、縦方向（ｙ方向）ｋ段目の列と、ｋ＋１段目の列の穴同士が、横方向（ｘ方向）に寸法ａだけずれて配置されてもよい。同様に、縦方向（ｙ方向）ｋ＋１段目の列と、ｋ＋２段目の列の穴同士が、横方向（ｘ方向）に寸法ｂだけずれて配置されてもよい。
【００２４】
図３は、実施の形態１におけるブランキングアパーチャアレイ機構の構成を示す断面図である。
図４は、実施の形態１におけるブランキングアパーチャアレイ機構のメンブレン領域内の構成の一部を示す上面概念図である。なお、図３と図４において、制御電極２４と対向電極２６と制御回路４１とパッド４３の位置関係は一致させて記載していない。ブランキングアパーチャアレイ機構２０４は、図３に示すように、支持台３３上にシリコン等からなる半導体基板３１が配置される。基板３１の中央部は、例えば裏面側から薄く削られ、薄い膜厚ｈのメンブレン領域３３０（第１の領域）に加工されている。メンブレン領域３３０を取り囲む周囲は、厚い膜厚Ｈの外周領域３３２（第２の領域）となる。メンブレン領域３３０の上面と外周領域３３２の上面とは、同じ高さ位置、或いは、実質的に高さ位置になるように形成される。基板３１は、外周領域３３２の裏面で支持台３３上に保持される。支持台３３の中央部は開口しており、メンブレン領域３３０の位置は、支持台３３の開口した領域に位置している。
【００２５】
メンブレン領域３３０には、図２に示した成形アパーチャアレイ基板２０３の各穴２２に対応する位置にマルチビームのそれぞれのビームの通過用の通過孔２５（開口部）が開口される。言い換えれば、基板３１のメンブレン領域３３０には、電子線を用いたマルチビームのそれぞれ対応するビームが通過する複数の通過孔２５がアレイ状に形成される。そして、基板３１のメンブレン領域３３０上であって、複数の通過孔２５のうち対応する通過孔２５を挟んで対向する位置に２つの電極を有する複数の電極対がそれぞれ配置される。具体的には、メンブレン領域３３０上に、図３及び図４に示すように、各通過孔２５の近傍位置に該当する通過孔２５を挟んでブランキング偏向用の制御電極２４と対向電極２６の組（ブランカー：ブランキング偏向器）がそれぞれ配置される。また、基板３１内部であってメンブレン領域３３０上の各通過孔２５の近傍には、各通過孔２５用の制御電極２４に偏向電圧を印加する制御回路４１（ロジック回路）が配置される。各ビーム用の対向電極２６は、グランド接続される。
【００２６】
また、図４に示すように、各制御回路４１は、制御信号用のｎビット（例えば１０ビット）のパラレル配線が接続される。各制御回路４１は、制御信号用のｎビットのパラレル配線の他、クロック信号線、読み込み（ｒｅａｄ）信号、ショット（ｓｈｏｔ）信号および電源用の配線等が接続される。クロック信号線、読み込み（ｒｅａｄ）信号、ショット（ｓｈｏｔ）信号および電源用の配線等はパラレル配線の一部の配線を流用しても構わない。マルチビームを構成するそれぞれのビーム毎に、制御電極２４と対向電極２６と制御回路４１とによる個別ブランキング機構４７が構成される。また、図３の例では、制御電極２４と対向電極２６と制御回路４１とが基板３１の膜厚が薄いメンブレン領域３３０に配置される。但し、これに限るものではない。また、メンブレン領域３３０にアレイ状に形成された複数の制御回路４１は、例えば、同じ行或いは同じ列によってグループ化され、グループ内の制御回路４１群は、図４に示すように、直列に接続される。そして、グループ毎に配置されたパッド４３からの信号がグループ内の制御回路４１に伝達される。具体的には、各制御回路４１内に、図示しないシフトレジスタが配置され、例えば、ｐ×ｑ本のマルチビームのうち例えば同じ行のビームの制御回路４１内のシフトレジスタが直列に接続される。そして、例えば、ｐ×ｑ本のマルチビームの同じ行のビームの制御信号がシリーズで送信され、例えば、ｐ回のクロック信号によって各ビームの制御信号が対応する制御回路４１に格納される。
【００２７】
図５は、実施の形態１の個別ブランキング機構の一例を示す図である。図５において、制御回路４１内には、アンプ４６（スイッチング回路の一例）が配置される。図５の例では、アンプ４６の一例として、ＣＭＯＳ（Ｃｏｍｐｌｅｍｅｎｔａｒｙ  ＭＯＳ）インバータ回路が配置される。そして、ＣＭＯＳインバータ回路は正の電位（Ｖｄｄ：ブランキング電位：第１の電位）（例えば、５Ｖ）（第１の電位）とグランド電位（ＧＮＤ：第２の電位）に接続される。ＣＭＯＳインバータ回路の出力線（ＯＵＴ）は制御電極２４に接続される。一方、対向電極２６は、グランド電位が印加される。そして、ブランキング電位とグランド電位とが切り替え可能に印加される複数の制御電極２４が、基板３１上であって、複数の通過孔２５のそれぞれ対応する通過孔２５を挟んで複数の対向電極２６のそれぞれ対応する対向電極２６と対向する位置に配置される。
【００２８】
ＣＭＯＳインバータ回路の入力（ＩＮ）には、閾値電圧よりも低くなるＬ（ｌｏｗ）電位（例えばグランド電位）と、閾値電圧以上となるＨ（ｈｉｇｈ）電位（例えば、１．５Ｖ）とのいずれかが制御信号として印加される。実施の形態１では、ＣＭＯＳインバータ回路の入力（ＩＮ）にＬ電位が印加される状態では、ＣＭＯＳインバータ回路の出力（ＯＵＴ）は正電位（Ｖｄｄ）となり、対向電極２６のグランド電位との電位差による電界により対応ビーム２０を偏向し、制限アパーチャ基板２０６で遮蔽することでビームＯＦＦになるように制御する。一方、ＣＭＯＳインバータ回路の入力（ＩＮ）にＨ電位が印加される状態（アクティブ状態）では、ＣＭＯＳインバータ回路の出力（ＯＵＴ）はグランド電位となり、対向電極２６のグランド電位との電位差が無くなり対応ビーム２０を偏向しないので制限アパーチャ基板２０６を通過することでビームＯＮになるように制御する。
【００２９】
各通過孔を通過する電子ビーム２０は、それぞれ独立に対となる２つの制御電極２４と対向電極２６に印加される電圧によって偏向される。かかる偏向によってブランキング制御される。具体的には、制御電極２４と対向電極２６の組は、それぞれ対応するスイッチング回路となるＣＭＯＳインバータ回路によって切り替えられる電位によってマルチビームの対応ビームをそれぞれ個別にブランキング偏向する。このように、複数のブランカーが、成形アパーチャアレイ基板２０３の複数の穴２２（開口部）を通過したマルチビームのうち、それぞれ対応するビームのブランキング偏向を行う。
【００３０】
図６は、実施の形態１における描画動作の一例を説明するための概念図である。図６に示すように、試料１０１の描画領域３０は、例えば、ｙ方向に向かって所定の幅で短冊状の複数のストライプ領域３２に仮想分割される。まず、ＸＹステージ１０５を移動させて、第１番目のストライプ領域３２の左端、或いはさらに左側の位置に一回のマルチビーム２０のショットで照射可能な照射領域３４が位置するように調整し、描画が開始される。第１番目のストライプ領域３２を描画する際には、ＸＹステージ１０５を例えば−ｘ方向に移動させることにより、相対的にｘ方向へと描画を進めていく。ＸＹステージ１０５は例えば等速で連続移動させる。第１番目のストライプ領域３２の描画終了後、ステージ位置を−ｙ方向に移動させて、第２番目のストライプ領域３２の右端、或いはさらに右側の位置に照射領域３４が相対的にｙ方向に位置するように調整し、今度は、ＸＹステージ１０５を例えばｘ方向に移動させることにより、−ｘ方向に向かって同様に描画を行う。第３番目のストライプ領域３２では、ｘ方向に向かって描画し、第４番目のストライプ領域３２では、−ｘ方向に向かって描画するといったように、交互に向きを変えながら描画することで描画時間を短縮できる。但し、かかる交互に向きを変えながら描画する場合に限らず、各ストライプ領域３２を描画する際、同じ方向に向かって描画を進めるようにしても構わない。１回のショットでは、成形アパーチャアレイ基板２０３の各穴２２を通過することによって形成されたマルチビームによって、最大で成形アパーチャアレイ基板２０３に形成された複数の穴２２と同数の複数のショットパターンが一度に形成される。
【００３１】
図７は、実施の形態１におけるマルチビームの照射領域と描画対象画素との一例を示す図である。図７において、ストライプ領域３２には、例えば、試料１０１面上におけるマルチビーム２０のビームサイズピッチで格子状に配列される複数の制御グリッド２７（設計グリッド）が設定される。例えば、１０ｎｍ程度の配列ピッチにすると好適である。かかる複数の制御グリッド２７が、マルチビーム２０の設計上の照射位置となる。制御グリッド２７の配列ピッチはビームサイズに限定されるものではなく、ビームサイズとは関係なく偏向器２０９の偏向位置として制御可能な任意の大きさで構成されるものでも構わない。そして、各制御グリッド２７を中心とした、制御グリッド２７の配列ピッチと同サイズでメッシュ状に仮想分割された複数の画素３６が設定される。各画素３６は、マルチビームの１つのビームあたりの照射単位領域となる。図７の例では、試料１０１の描画領域が、例えばｙ方向に、１回のマルチビーム２０の照射で照射可能な照射領域３４（描画フィールド）のサイズと実質同じ幅サイズで複数のストライプ領域３２に分割された場合を示している。照射領域３４のｘ方向サイズは、マルチビーム２０のｘ方向のビーム間ピッチにｘ方向のビーム数を乗じた値で定義できる。照射領域３４のｙ方向サイズは、マルチビーム２０のｙ方向のビーム間ピッチにｙ方向のビーム数を乗じた値で定義できる。なお、ストライプ領域３２の幅は、これに限るものではない。照射領域３４のｎ倍（ｎは１以上の整数）のサイズであると好適である。図７の例では、例えば５１２×５１２列のマルチビームの図示を８×８列のマルチビームに省略して示している。そして、照射領域３４内に、１回のマルチビーム２０のショットで照射可能な複数の画素２８（ビームの描画位置）が示されている。言い換えれば、隣り合う画素２８間のピッチが設計上のマルチビームの各ビーム間のピッチとなる。図７の例では、隣り合う４つの画素２８で囲まれると共に、４つの画素２８のうちの１つの画素２８を含む正方形の領域で１つのサブ照射領域２９を構成する。図７の例では、各サブ照射領域２９は、４×４画素で構成される場合を示している。
【００３２】
図８は、実施の形態１におけるマルチビームの描画方法の一例を説明するための図である。図８では、図７で示したストライプ領域３２を描画するマルチビームのうち、ｙ方向３段目の座標（１，３），（２，３），（３，３），・・・，（５１２，３）の各ビームで描画するサブ照射領域２９の一部を示している。図８の例では、例えば、ＸＹステージ１０５が８ビームピッチ分の距離を移動する間に４つの画素を描画（露光）する場合を示している。かかる４つの画素を描画（露光）する間、照射領域３４がＸＹステージ１０５の移動によって試料１０１との相対位置がずれないように、偏向器２０８によってマルチビーム２０全体を一括偏向することによって、照射領域３４をＸＹステージ１０５の移動に追従させる。言い換えれば、トラッキング制御が行われる。図８の例では、８ビームピッチ分の距離を移動する間に４つの画素を描画（露光）することで１回のトラッキングサイクルを実施する場合を示している。
【００３３】
具体的には、ステージ位置検出器１３９が、ミラー２１０にレーザを照射して、ミラー２１０から反射光を受光することでＸＹステージ１０５の位置を測長する。測長されたＸＹステージ１０５の位置は、制御計算機１１０に出力される。制御計算機１１０内では、描画制御部７２がかかるＸＹステージ１０５の位置情報を偏向制御回路１３０に出力する。偏向制御回路１３０内では、ＸＹステージ１０５の移動に合わせて、ＸＹステージ１０５の移動に追従するようにビーム偏向するための偏向量データ（トラッキング偏向データ）を演算する。デジタル信号であるトラッキング偏向データは、ＤＡＣアンプ１３４に出力され、ＤＡＣアンプ１３４は、デジタル信号をアナログ信号に変換の上、増幅して、トラッキング偏向電圧として偏向器２０８に印加する。
【００３４】
そして、描画機構１５０は、当該ショットにおけるマルチビームの各ビームのそれぞれの照射時間のうちの最大描画時間Ｔｔｒ内のそれぞれの制御グリッド２７に対応する描画時間（照射時間、或いは露光時間）、各制御グリッド２７にマルチビーム２０のうちＯＮビームのそれぞれ対応するビームを照射する。
【００３５】
図８の例では、座標（１，３）のビーム（１）によって、時刻ｔ＝０からｔ＝最大描画時間Ｔｔｒまでの間に注目サブ照射領域２９の例えば最下段右から１番目の画素３６の制御グリッド２７に１ショット目のビームの照射が行われる。これにより、当該画素は、所望の照射時間のビームの照射を受けたことになる。時刻ｔ＝０からｔ＝Ｔｔｒまでの間にＸＹステージ１０５は例えば２ビームピッチ分だけ−ｘ方向に移動する。その間、トラッキング動作は継続している。
【００３６】
当該ショットのビーム照射開始から当該ショットの最大描画時間Ｔｔｒが経過後、偏向器２０８によってトラッキング制御のためのビーム偏向を継続しながら、トラッキング制御のためのビーム偏向とは別に、偏向器２０９によってマルチビーム２０を一括して偏向することによって各ビームの描画位置（前回の描画位置）を次の各ビームの描画位置（今回の描画位置）にシフトする。図８の例では、時刻ｔ＝Ｔｔｒになった時点で、注目サブ照射領域２９の最下段右から１番目の画素３６の制御グリッド２７から下から１段目かつ右から１番目の画素３６の制御グリッド２７へと描画対象制御グリッド２７をシフトする。その間にもＸＹステージ１０５は定速移動しているのでトラッキング動作は継続している。
【００３７】
そして、トラッキング制御を継続しながら、シフトされた各ビームの描画位置に当該ショットの最大描画時間Ｔｔｒ内のそれぞれ対応する描画時間、マルチビーム２０のうちＯＮビームのそれぞれ対応するビームを照射する。図８の例では、座標（１，３）のビーム（１）によって、時刻ｔ＝Ｔｔｒからｔ＝２Ｔｔｒまでの間に注目サブ照射領域２９の例えば下から２段目かつ右から１番目の画素３６の制御グリッド２７に２ショット目のビームの照射が行われる。時刻ｔ＝Ｔｔｒからｔ＝２Ｔｔｒまでの間にＸＹステージ１０５は例えば２ビームピッチ分だけ−ｘ方向に移動する。その間、トラッキング動作は継続している。
【００３８】
図８の例では、時刻ｔ＝２Ｔｔｒになった時点で、注目サブ照射領域２９の下から２段目かつ右から１番目の画素３６の制御グリッド２７から下から３段目かつ右から１番目の画素３６の制御グリッド２７へと偏向器２０９によるマルチビームの一括偏向により描画対象制御グリッド２７をシフトする。その間にもＸＹステージ１０５は移動しているのでトラッキング動作は継続している。そして、座標（１，３）のビーム（１）によって、時刻ｔ＝２Ｔｔｒからｔ＝３Ｔｔｒまでの間に注目サブ照射領域２９の例えば下から３段目かつ右から１番目の画素３６の制御グリッド２７に３ショット目のビームの照射が行われる。これにより、当該画素３６の制御グリッド２７は、所望の照射時間のビームの照射を受けたことになる。
【００３９】
時刻ｔ＝２Ｔｔｒからｔ＝３Ｔｔｒまでの間にＸＹステージ１０５は例えば２ビームピッチ分だけ−ｘ方向に移動する。その間、トラッキング動作は継続している。時刻ｔ＝３Ｔｔｒになった時点で、注目サブ照射領域２９の下から３段目かつ右から１番目の画素３６の制御グリッド２７から下から４段目かつ右から１番目の画素３６の制御グリッド２７へと偏向器２０９によるマルチビームの一括偏向により描画対象画素をシフトする。その間にもＸＹステージ１０５は移動しているのでトラッキング動作は継続している。
【００４０】
そして、座標（１，３）のビーム（１）によって、時刻ｔ＝３Ｔｔｒからｔ＝４Ｔｔｒまでの間に注目サブ照射領域２９の例えば下から４段目かつ右から１番目の画素３６の制御グリッド２７に４ショット目のビームの照射が行われる。これにより、当該画素３６の制御グリッド２７は、所望の照射時間のビームの照射を受けたことになる。
【００４１】
時刻ｔ＝３Ｔｔｒからｔ＝４Ｔｔｒまでの間にＸＹステージ１０５は例えば２ビームピッチ分だけ−ｘ方向に移動する。その間、トラッキング動作は継続している。以上により、注目サブ照射領域２９の右から１番目の画素列の描画が終了する。
【００４２】
図８の例では初回位置から３回シフトされた後の各ビームの描画位置にそれぞれ対応するビームを照射した後、ＤＡＣアンプユニット１３４は、トラッキング制御用のビーム偏向をリセットすることによって、トラッキング位置をトラッキング制御が開始されたトラッキング開始位置に戻す。言い換えれば、トラッキング位置をステージ移動方向と逆方向に戻す。図８の例では、時刻ｔ＝４Ｔｔｒになった時点で、注目サブ照射領域２９のトランキングを解除して、ｘ方向に８ビームピッチ分ずれた注目サブ照射領域２９にビームを振り戻す。なお、図８の例では、座標（１，３）のビーム（１）について説明したが、その他の座標のビームについてもそれぞれの対応するサブ照射領域２９に対して同様に描画が行われる。すなわち、座標（ｎ，ｍ）のビームは、ｔ＝４Ｔｔｒの時点で対応するサブ照射領域２９に対して右から１番目の画素列の描画が終了する。例えば、座標（２，３）のビーム（２）は、図７のビーム（１）用の注目サブ照射領域２９の−ｘ方向に隣り合うサブ照射領域２９に対して右から１番目の画素列の描画が終了する。
【００４３】
なお、各サブ照射領域２９の右から１番目の画素列の描画は終了しているので、トラッキングリセットした後に、次回のトラッキングサイクルにおいてまず偏向器２０９は、各サブ照射領域２９の下から１段目かつ右から２番目の画素の制御グリッド２７にそれぞれ対応するビームの描画位置を合わせる（シフトする）ように偏向する。
【００４４】
以上のように同じトラッキングサイクル中は偏向器２０８によって照射領域３４を試料１０１に対して相対位置が同じ位置になるように制御された状態で、偏向器２０９によって１制御グリッド２７（画素３６）ずつシフトさせながら各ショットを行う。そして、トラッキングサイクルが１サイクル終了後、照射領域３４のトラッキング位置を戻してから、図６の下段に示すように、例えば１制御グリッド（１画素）ずれた位置に１回目のショット位置を合わせ、次のトラッキング制御を行いながら偏向器２０９によって１制御グリッド（１画素）ずつシフトさせながら各ショットを行う。ストライプ領域３２の描画中、かかる動作を繰り返すことで、照射領域３４ａ〜３４ｏといった具合に順次照射領域３４の位置が移動していき、当該ストライプ領域の描画を行っていく。
【００４５】
マルチビーム２０で試料１０１を描画する際、上述したように、偏向器２０８によるトラッキング動作中にＸＹステージ１０５の移動に追従しながらショットビームとなるマルチビーム２０を偏向器２０９によるビーム偏向位置の移動によって１制御グリッド（１画素）ずつ順に連続して照射していく。そして、試料１０１上のどの制御グリッド２７（画素３６）をマルチビームのどのビームが照射するのかは描画シーケンスによって決まる。そして、マルチビームのｘ，ｙ方向にそれぞれ隣り合うビーム間のビームピッチを用いて、試料１０１面上におけるｘ，ｙ方向にそれぞれ隣り合うビーム間のビームピッチ（ｘ方向）×ビームピッチ（ｙ方向）の領域はｎ×ｎ画素の領域（サブ照射領域２９）で構成される。例えば、１回のトラッキング動作で、ＸＹステージ１０５が−ｘ方向にビームピッチ（ｘ方向）だけ移動する場合、上述したようにｙ方向に１つのビームによって照射位置をシフトしながらｎ制御グリッド（ｎ画素）が描画される。或いは、ｘ方向或いは斜め方向に１つのビームによって照射位置をシフトしながらｎ制御グリッド（ｎ画素）が描画されてもよい。同じｎ×ｎ画素の領域内の他のｎ画素が次回のトラッキング動作で上述したビームとは異なるビームによって同様にｎ画素が描画される。このようにｎ回のトラッキング動作でそれぞれ異なるビームによってｎ画素ずつ描画されることにより、１つのｎ×ｎ画素の領域内のすべての画素が描画される。マルチビームの照射領域内の他のｎ×ｎ画素の領域についても同時期に同様の動作が実施され、同様に描画される。
【００４６】
次に描画装置１００における描画機構１５０の動作について説明する。電子銃２０１（放出源）から放出された電子ビーム２００は、照明レンズ２０２によりほぼ垂直に成形アパーチャアレイ基板２０３全体を照明する。成形アパーチャアレイ基板２０３には、矩形の複数の穴（開口部）が形成され、電子ビーム２００は、すべての複数の穴が含まれる領域を照明する。複数の穴の位置に照射された電子ビーム２００の各一部が、かかる成形アパーチャアレイ基板２０３の複数の穴をそれぞれ通過することによって、例えば矩形形状の複数の電子ビーム（マルチビーム）２０ａ〜ｅが形成される。かかるマルチビーム２０ａ〜ｅは、ブランキングアパーチャアレイ機構２０４のそれぞれ対応するブランカー（第１の偏向器：個別ブランキング機構）内を通過する。かかるブランカーは、それぞれ、個別に通過する電子ビーム２０を偏向する（ブランキング偏向を行う）。
【００４７】
ブランキングアパーチャアレイ機構２０４を通過したマルチビーム２０ａ〜ｅは、縮小レンズ２０５によって、縮小され、制限アパーチャ基板２０６に形成された中心の穴に向かって進む。ここで、ブランキングアパーチャアレイ機構２０４のブランカーによって偏向された電子ビーム２０ａは、制限アパーチャ基板２０６の中心の穴から位置がはずれ、制限アパーチャ基板２０６によって遮蔽される。一方、ブランキングアパーチャアレイ機構２０４のブランカーによって偏向されなかった電子ビーム２０ｂ〜２０ｅは、図１に示すように制限アパーチャ基板２０６の中心の穴を通過する。かかる個別ブランキング機構のＯＮ／ＯＦＦによって、ブランキング制御が行われ、ビームのＯＮ／ＯＦＦが制御される。このように、制限アパーチャ基板２０６は、個別ブランキング機構４７によってビームＯＦＦの状態になるように偏向された各ビームを遮蔽する。そして、ビーム毎に、ビームＯＮになってからビームＯＦＦになるまでに形成された、制限アパーチャ基板２０６を通過したビームにより、１回分のショットのビームが形成される。制限アパーチャ基板２０６を通過したマルチビーム２０は、対物レンズ２０７により焦点が合わされ、所望の縮小率のパターン像となり、偏向器２０８，２０９によって、制限アパーチャ基板２０６を通過した各ビーム（マルチビーム２０全体）が同方向に一括して偏向され、各ビームの試料１０１上のそれぞれの照射位置に照射される。一度に照射されるマルチビーム２０は、理想的には成形アパーチャアレイ基板２０３の複数の穴２２の配列ピッチに上述した所望の縮小率を乗じたピッチで並ぶことになる。
【００４８】
ここで、図５において説明したように、個別ブランキング機構４７の制御回路４１内には、アンプ４６（スイッチング回路の一例）が配置される。アンプ４６の故障によりアンプ４６の出力が常時電位Ｖｄｄとなれば、制御電極２４と対向電極２６との電位差によって制御電極２４と対向電極２６との間の通過孔２５を通るビームは、常時ＯＦＦになってしまう。或いは、ビームＯＮにはなるが露光量が異常に少ないビーム若しくはビームＯＮの状態が生成できる場合であっても、制御回路４１内の故障等により所望の照射時間に制御できないビームが発生してしまう場合もある。これらの欠陥ビームの使用は描画精度に影響を与えるため、使用することが困難となる。
【００４９】
図９は、実施の形態１における描画方法の要部工程を示すフローチャート図である。図９において、実施の形態１における描画方法は、面積率マップ作成工程（Ｓ１０２）と、ストライプ単位の照射量マップ作成工程（Ｓ１０４）と、ビーム位置ずれ量測定工程（Ｓ１１２）と、ビームアレイ単位のビーム位置ずれ量マップ作成工程（Ｓ１１４）と、ストライプ単位のビーム位置ずれ量マップ作成工程（Ｓ１１６）と、個別ビーム電流量測定工程（Ｓ１２２）と、ビームアレイ単位のビーム電流量マップ作成工程（Ｓ１２４）と、ストライプ単位のビーム電流量マップ作成工程（Ｓ１２６）と、ドーズ分配テーブル作成工程（Ｓ１２８）と、ストライプ単位の照射量マップ補正工程（Ｓ１３０）と、描画工程（Ｓ１４０）と、いう一連の工程を実施する。
【００５０】
面積率マップ作成工程（ラスタライズ処理工程）（Ｓ１０２）として、ラスタライズ部５０は、記憶装置１４０から描画データを読み出し、画素３６毎に、当該画素３６内のパターン面積密度ρ’を演算する。かかる処理は、例えば、ストライプ領域３２毎に実行する。
【００５１】
ストライプ単位の照射量マップ作成工程（Ｓ１０４）として、照射量マップ作成部５２は、まず、描画領域（ここでは、例えばストライプ領域３２）を所定のサイズでメッシュ状に複数の近接メッシュ領域（近接効果補正計算用メッシュ領域）に仮想分割する。近接メッシュ領域のサイズは、近接効果の影響範囲の１／１０程度、例えば、１μｍ程度に設定すると好適である。照射量マップ作成部５２は、記憶装置１４０から描画データを読み出し、近接メッシュ領域毎に、当該近接メッシュ領域内に配置されるパターンのパターン面積密度ρを演算する。
【００５２】
次に、照射量マップ作成部５２は、近接メッシュ領域毎に、近接効果を補正するための近接効果補正照射係数Ｄｐ（ｘ）（補正照射量）を演算する。未知の近接効果補正照射係数Ｄｐ（ｘ）は、後方散乱係数η、しきい値モデルの照射量閾値Ｄｔｈ、パターン面積密度ρ、及び分布関数ｇ（ｘ）を用いた、従来手法と同様の近接効果補正用のしきい値モデルによって定義できる。
【００５３】
次に、照射量マップ作成部５２は、画素３６毎に、当該画素３６に照射するための入射照射量Ｄ（ｘ）（ドーズ量，露光量）を演算する。入射照射量Ｄ（ｘ）は、例えば、予め設定された基準照射量Ｄｂａｓｅに近接効果補正照射係数Ｄｐとパターン面積密度ρ’とを乗じた値として演算すればよい。基準照射量Ｄｂａｓｅは、例えば、Ｄｔｈ／（１／２＋η）で定義できる。以上により、描画データに定義される複数の図形パターンのレイアウトに基づいた、近接効果が補正された本来の所望する入射照射量Ｄ（ｘ）を得ることができる。
【００５４】
そして、照射量マップ作成部５２は、ストライプ単位で画素３６毎の入射照射量Ｄ（ｘ）を定義した照射量マップを作成する。かかる画素３６毎の入射照射量Ｄ（ｘ）は、設計上、当該画素３６の制御グリッド２７に照射される予定の入射照射量Ｄ（ｘ）となる。言い換えれば、照射量マップ作成部５２は、ストライプ単位で制御グリッド２７毎の入射照射量Ｄ（ｘ）を定義した照射量マップ（１）を作成する。作成された照射量マップ（１）は、例えば、記憶装置１４２に格納される。
【００５５】
ビーム位置ずれ量測定工程（Ｓ１１２）として、描画装置１００は、マルチビーム２０の各ビームの対応する制御グリッド２７からの位置ずれ量を測定する。
【００５６】
図１０は、実施の形態１におけるビームの位置ずれと位置ずれ周期性とを説明するための図である。マルチビーム２０では、図１０（ａ）に示すように、光学系の特性上、露光フィールドに歪が生じ、かかる歪等によって、個々のビームの実際の照射位置３９が理想グリッドに照射される場合の照射位置３７からずれてしまう。そこで、実施の形態１では、かかる個々のビームの実際の照射位置３９の位置ずれ量を測定する。具体的には、レジストが塗布された評価基板に、マルチビーム２０を照射し、評価基板を現像することで生成されるレジストパターンの位置を位置測定器で測定することにより、ビーム毎の位置ずれ量を測定する。各ビームのショットサイズでは、各ビームの照射位置におけるレジストパターンのサイズを位置測定器で測定困難であれば、各ビームで、位置測定器で測定可能なサイズの図形パターン（例えば矩形パターン）を描画し、図形パターン（レジストパターン）の両側のエッジ位置を測定して、両エッジ間の中間位置と設計上の図形パターンの中間位置との差分から対象ビームの位置ずれ量を測定すればよい。そして、得られた各ビームの照射位置の位置ずれ量データは、描画装置１００に入力され、記憶装置１４４に格納される。また、マルチビーム描画では、ストライプ領域３２内において照射領域３４をずらしながら描画を進めていくため、例えば、図８において説明した描画シーケンスでは、図６の下段に示すように、ストライプ領域３２の描画中、照射領域３４ａ〜３４ｏといった具合に順次照射領域３４の位置が移動して、照射領域３４の移動毎に、各ビームの位置ずれに周期性が生じることになる。或いは、各ビームが、それぞれ対応するサブ照射領域２９内のすべての画素３６を照射する描画シーケンスの場合であれば、図１０（ｂ）に示すように、少なくとも照射領域３４と同じサイズの単位領域３５毎（３５ａ、３５ｂ、・・・）に各ビームの位置ずれに周期性が生じることになる。よって、１つの照射領域３４分の各ビームの位置ずれ量を測定すれば、測定結果を流用できる。言い換えれば、各ビームについて、対応するサブ照射領域２９内の各画素３６での位置ずれ量を測定できれば良い。
【００５７】
なお、常時ビームＯＦＦとなる欠陥ビームが存在する場合、評価基板にビームが到達しないので、かかる場合には、常時ビームＯＦＦの周囲のビームの照射位置から線形補間した位置を欠陥ビームの照射位置と推定すればよい。ビームＯＮにはなるが露光量が異常に少ない欠陥ビーム若しくはビームＯＮにはなるが照射時間が制御不能の欠陥ビームについては、他のビームと同様、実際の照射位置を用いればよい。
【００５８】
ビームアレイ単位のビーム位置ずれ量マップ作成工程（Ｓ１１４）として、ビーム位置ずれマップ作成部５４は、まず、ビームアレイ単位、言い換えれば、照射領域３４内の各ビームの位置ずれ量を定義するビーム位置ずれ量マップ（１）を作成する。具体的には、ビーム位置ずれマップ作成部５４は、記憶装置１４４から各ビームの照射位置の位置ずれ量データを読み出し、かかるデータをマップ値としてビーム位置ずれ量マップ（１）を作成すればよい。
【００５９】
ストライプ単位のビーム位置ずれ量マップ作成工程（Ｓ１１６）として、ビーム位置ずれマップ作成部５４は、次に、ストライプ領域３２内の各画素３６の制御グリッド２７でのビーム位置ずれ量マップ（２）を作成する。ストライプ領域３２内の各画素３６の制御グリッド２７をどのビームが照射するのかは、例えば図８において説明したように、描画シーケンスによって決まる。よって、ビーム位置ずれマップ作成部５４は、描画シーケンスに応じてストライプ領域３２内の各画素３６の制御グリッド２７毎に当該制御グリッド２７への照射を担当するビームを特定して、当該ビームの位置ずれ量を演算する。そして、ビーム位置ずれマップ作成部５４は、各制御グリッド２７へのビームの照射位置の位置ずれ量をマップ値として、ストライプ単位のビーム位置ずれ量マップ（２）を作成する。上述したように、各ビームの位置ずれに周期性が生じるので、ビームアレイ単位のビーム位置ずれ量マップ（１）の値を流用して、ストライプ単位のビーム位置ずれ量マップ（２）を作成すればよい。
【００６０】
個別ビーム電流量測定工程（Ｓ１２２）として、描画制御部７２の制御により、マルチビーム２０の各ビームを１本ずつファラディーカップ１０６に照射して、各ビームのビーム電流量を測定する。対象ビームはビームＯＮにその他のビームはビームＯＦＦになるように、ブランキングアパーチャアレイ機構２０４を動作させればよい。なお、上述したように、各ビームの照射位置は、制御グリッド２７からずれることになるが、ファラディーカップ１０６の受光面をこれらの位置ずれ量よりも大きくすれば、例えば、位置ずれが生じたとしても測定できる。例えば、予め設定された照射時間ずつ各ビームを１本ずつファラディーカップ１０６に照射する動作を複数回繰り返し、得られた合計電流量を繰り返し数で割った平均電流量を測定する。
【００６１】
ビームアレイ単位のビーム電流量マップ作成工程（Ｓ１２４）として、ビーム電流量マップ作成部７０は、測定された各ビームのビーム電流量をマップ値とするビーム電流量マップ（１）を作成する。作成されたビームアレイ単位のビーム電流量マップ（１）は、記憶装置１４４に格納される。
【００６２】
ストライプ単位のビーム電流量マップ作成工程（Ｓ１２６）として、ビーム電流量マップ作成部７０は、ストライプ単位のビーム電流量マップ（２）を作成する。ストライプ領域３２内の各画素３６の制御グリッド２７をどのビームが照射するのかは、例えば図８において説明したように、描画シーケンスによって決まる。よって、ビーム電流量マップ作成部７０は、描画シーケンスに応じてストライプ領域３２内の各画素３６の制御グリッド２７毎に当該制御グリッド２７への照射を担当するビームを特定する。作成されたストライプ単位のビーム電流量マップ（２）は、記憶装置１４４に格納される。ビーム電流量マップ（２）に定義される電流量が閾値Ｑｔｈ以下のビームは欠陥ビームと判定される。よって、ビーム電流量マップ（２）は、電流量で欠陥ビームが識別可能な欠陥ビーム情報の一例になる。
【００６３】
なお、欠陥ビーム情報は、これに限るものではない。例えば、マルチビーム２０のうち、欠陥ビームがどれなのか識別可能に定義された情報を別途、描画装置１００が入力し、記憶装置１４４に格納しても良い。
【００６４】
ドーズ分配テーブル作成工程（Ｓ１２８）として、制御グリッド２７毎に、当該制御グリッド２７に設定されるドーズ量を周囲のビームに分配するためのドーズ分配テーブルを作成する。
【００６５】
図１１は、実施の形態１におけるドーズ分配テーブル作成工程の内部工程の一例を示すフローチャート図である。図１１において、ドーズ分配テーブル作成工程（Ｓ１２８）は、その内部工程として、注目グリッド選定工程（Ｓ２０２）と、近接ビーム探索工程（Ｓ２０４）と、組合せ設定工程（Ｓ２０６）と、ドーズ分配率演算工程（Ｓ２０８）と、ドーズ分配係数演算工程（Ｓ２１０）と、ドーズ分配テーブル作成処理工程（Ｓ２１２）と、いう一連の工程を実施する。
【００６６】
注目グリッド選定工程（Ｓ２０２）として、選択部５６は、対象ストライプ領域３２内の複数の制御グリッド２７のうち、注目する制御グリッドを選択（選定）する。
【００６７】
近接ビーム探索工程（Ｓ２０４）として、探索部５８は、マルチビーム２０の設計上の照射位置となる複数の制御グリッド２７（設計グリッド）の制御グリッド２７毎に、実際の照射位置が当該制御グリッド２７に近接する４つ以上の近接ビームを探索する。かかる複数の近接ビームの中には、当該制御グリッド２７に略一致するビーム、例えば、照射領域内に当該制御グリッド２７が位置するビームが含まれても好適である。
【００６８】
図１２は、実施の形態１における近接ビームの探索手法を説明するための図である。各制御グリッド２７に照射されるビームは、上述したように、位置ずれが生じるため、図１２に示すように各ビームの実際の照射位置（実照射位置）は、当該ビームが担当する制御グリッド２７から外れた位置となる。そのため、図１２において、座標ｄ（ｉ，ｊ）で示す注目する制御グリッド２７（注目グリッド）（黒）の周囲には、複数の実照射位置３９（白）が存在する。近接ビームの数は４つ以上であればよいが、実施の形態１では、４つの近接ビームを探索し、選択する場合について説明する。
【００６９】
探索部５８（近接ビーム選択部）は、制御グリッド２７（設計グリッド）毎に、実際の照射位置が当該制御グリッド２７に近接する４つの近接ビームとして、当該制御グリッド２７を通る角度の異なる２直線によって分割される４つの領域からそれぞれ最近接の照射位置に対応するビームを探索し、選択する。かかる場合に、探索部５８は、記憶装置１４４からビーム電流量マップ（２）（欠陥ビーム情報の一例）を読み出し、定義される電流量が閾値Ｑｔｈ以下のビームを欠陥ビーム１１として、探索対象から除外する。図１２の例では、角度の異なる２直線として、例えば、座標（ｉ，ｊ）で示す注目する制御グリッド２７（注目グリッド）を通るｘ方向に平行な直線４３ａとｙ方向に平行な直線４３ｂとを用いる。言い換えれば、注目グリッドを中心とするｘ軸とｙ軸を設定する。そして、注目グリッド周辺の領域をｘ軸とｙ軸とによって分割される４つの領域（第１象限〜第４象限）に分割する。そして、探索部５８（近接ビーム選択部）は、第１象限（Ａ）において最近接の照射位置３９ｂに対応するビームと、第２象限（Ｂ）において最近接の照射位置３９ａに対応するビームと、第３象限（Ｃ）において最近接の照射位置３９ｃに対応するビームと、第４象限（Ｄ）において最近接の照射位置３９ｄに対応するビームと、を選択する。なお、図１２の例では、第１象限（Ａ）において最近接の照射位置となるのは欠陥ビーム１１なので、かかる欠陥ビーム１１を除外した照射位置３９ｂに対応するビームを特定する。
【００７０】
図１３は、実施の形態１における制御グリッドと各ビームの実際の照射位置との一例を示す図である。図１３の例では、中心に示される注目する制御グリッド２７に対応するビームの実際の照射位置３９が左上側（−ｘ，＋ｙ方向）に位置ずれを起こす場合（Ｕ）を示している。また、図１３の例では、注目する制御グリッド２７の−ｘ方向に隣接する制御グリッドに対応するビームの実際の照射位置３９が左上側（＋ｘ，−ｙ方向）に位置ずれを起こす場合（Ｖ）を示している。また、図１３の例では、注目する制御グリッド２７の＋ｘ方向に隣接する制御グリッドに対応するビームの実際の照射位置３９が左上側（−ｘ，−ｙ方向）に位置ずれを起こす場合（Ｗ）を示している。また、図１３の例では、注目する制御グリッド２７の＋ｙ方向に２つ隣の制御グリッドに対応するビームの実際の照射位置３９が制御グリッドピッチよりもさらに左上側（＋ｘ，−ｙ方向）に位置ずれを起こす場合（Ｚ）を示している。図１３の例のように、各制御グリッド２７（黒）に対応するビームの位置ずれ方向が一致するわけではない。また、各制御グリッド２７（黒）に対応するビームの実際の照射位置３９（白）が、必ずしも注目グリッドと注目グリッドに隣接する制御グリッドとの間に存在するとは限らない。制御グリッドピッチよりもさらに遠くまで位置ずれが生じている場合もあり得る。探索部５８は、制御グリッド２７とビームとの対応関係に関わらず、実際の照射位置３９が各象限において、欠陥ビーム１１を除く最近接の位置にあるビームをそれぞれ選択すればよい。
【００７１】
ドーズ分配係数演算部６４（分配係数演算部）は、欠陥ビーム１１が定義された欠陥ビーム情報を用いて、制御グリッド２７毎に、実際の照射位置が当該制御グリッド２７に近接若しくは略一致する欠陥ビーム１１を除く３つ以上のビームに、分配後の各分配ドーズ量の重心位置及び総和が当該制御グリッド２７位置及び当該制御グリッド２７に照射される予定のドーズ量に一致するように当該制御グリッド２７に照射される予定のドーズ量を分配するための、かかる３つ以上のビームの各ビームへの分配係数ｗｋを演算する。実施の形態１では、以下に説明するように、一例として、４つの近接ビームを３つずつのビームの組に分けて、組合せ毎に、分配率ｗｋ’を演算した後に、４つの近接ビームへの分配係数ｗｋを求める場合について説明する。
【００７２】
組合せ設定工程（Ｓ２０６）として、組合せ設定部６０は、マルチビーム２０の設計上の照射位置となる複数の制御グリッド２７の制御グリッド２７毎に、実際の照射位置３９が当該制御グリッド２７に近接若しくは略一致する４つ以上のビームを用いて、実際の照射位置３９が当該制御グリッド２７を取り囲む３つずつのビームにより組合せた複数の組合せ４２ａ，４１ｂを設定する。図１２の例では、第１象限（Ａ）において最近接の照射位置３９ｂに対応するビームと、第２象限（Ｂ）において最近接の照射位置３９ａに対応するビームと、第３象限（Ｃ）において最近接の照射位置３９ｃに対応するビームと、の３つの近接ビームによって１つの組合せ４２ａを設定できる。また、第２象限（Ｂ）において最近接の照射位置３９ａに対応するビームと、第３象限（Ｃ）において最近接の照射位置３９ｃに対応するビームと、第４象限（Ｄ）において最近接の照射位置３９ｄに対応するビームと、の３つの近接ビームによって他の１つの組合せ４２ｂを設定できる。注目する制御グリッド２７（注目グリッド）を取り囲むため、各象限から１つずつ近接ビームを選択する場合、通常、２つの組合せが存在することになる。
【００７３】
ドーズ分配率演算工程（Ｓ２０８）として、ドーズ分配率演算部６２（第１の分配係数演算部）は、複数の組合せの組合せ毎に、当該組合せを構成する３つのビームに、分配後の各分配ドーズ量の重心位置及び総和が当該制御グリッド２７位置及び当該制御グリッド２７に照射される予定のドーズ量に一致するように当該制御グリッド２７に照射される予定のドーズ量を分配するための、当該組合せを構成する３つのビームの各ビームへの分配率ｗｋ’（第１の分配係数）を演算する。
【００７４】
図１４は、実施の形態１における周囲３つの近接ビームへのドーズ分配の仕方を説明するための図である。図１４（ａ）には、注目グリッド（制御グリッド２７）（黒）の周囲に照射される３つのビームの実際の照射位置３９（白）を示している。３つのビームの照射位置３９の座標は、それぞれ（ｘ１，ｙ１）、（ｘ２，ｙ２）、（ｘ３，ｙ３）で示されている。また、かかる３つのビームの照射位置３９の座標を注目グリッド（制御グリッド２７）の座標（ｘ，ｙ）を原点とする相対位置で示す場合、相対座標は、それぞれ（Δｘ１，Δｙ１）、（Δｘ２，Δｙ２）、（Δｘ３，Δｙ３）で示される。座標（ｘ，ｙ）の注目グリッド（制御グリッド２７）に照射されるドーズ量ｄをかかる３つのビームに分配する場合に、分配後の各ドーズ量ｄ１，ｄ２，ｄ３（分配ドーズ量）の重心位置が座標（ｘ，ｙ）となり、分配後の各ドーズ量ｄ１，ｄ２，ｄ３（分配ドーズ量）の総和がドーズ量ｄになるためには、図１４（ｂ）に示す行列式を満たせばよい。言い換えれば、以下の式（１）〜（３）を満たすように分配後の各ドーズ量ｄ１，ｄ２，ｄ３が決定される。
（１）  ｘ１・ｄ１＋ｘ２・ｄ２＋ｘ３・ｄ３＝ｘ
（２）  ｙ１・ｄ１＋ｙ２・ｄ２＋ｙ３・ｄ３＝ｙ
（３）  ｄ１＋ｄ２＋ｄ３＝ｄ
【００７５】
よって、分配後の各ドーズ量ｄ１，ｄ２，ｄ３（分配ドーズ量）は、図１４（ｃ）に示す行列式から演算できる。言い換えれば、分配後の各ドーズ量ｄｋ（分配ドーズ量）は、図１４（ｄ）に示す分配率ｗｋ’に注目グリッド（制御グリッド２７）に照射されるドーズ量ｄを乗じた値で定義できる。よって、注目グリッド（制御グリッド２７）（黒）の周囲の３つのビームへの分配率ｗｋ’は、図１４（ｃ）を演算することで求めることができる。言い換えれば、３つのビームへの分配率ｗｋ’は、以下の式（４）〜（７）を満たす。
（４）  ｄ１＝ｗ１’・ｄ
（５）  ｄ２＝ｗ２’・ｄ
（６）  ｄ３＝ｗ３’・ｄ
（７）  ｗ１’＋ｗ２’＋ｗ３’＝１
【００７６】
ドーズ分配係数演算工程（Ｓ２１０）として、ドーズ分配係数演算部６４（第２の分配係数演算部）は、４つ以上のビーム（ここでは例えば４つのビーム）のビーム毎に、当該ビームに対応する分配率ｗｋ’（第１の分配係数）を合計した値を複数の組合せの数で割った、当該制御グリッド２７（設計グリッド）に対する４つ以上のビーム（ここでは例えば４つのビーム）の各ビームの分配係数ｗｋ（第２の分配係数）を演算する。ドーズ分配率演算工程（Ｓ２０８）の段階では、組合せ毎に、当該組合せを構成する３つのビームへのそれぞれの分配率ｗｋ’しか演算されていない。しかし、注目グリッド（制御グリッド２７）（黒）用には、ビームを兼用しながら複数の組合せが存在する。よって、例えば、４象限から得られた４つのビームのうち２つのビームは２つの組合せの両方の構成に使用されるビームとなる。図１２の例では、照射位置３９ａのビームは、組合せ４２ａと組合せ４２ｂの両方に使用される。同様に、照射位置３９ｃのビームは、組合せ４２ａと組合せ４２ｂの両方に使用される。よって、照射位置３９ａのビームと照射位置３９ｃのビームとには、それぞれ組合せ４２ａの場合の分配率ｗｋ’と組合せ４２ｂの場合の分配率ｗｋ’とが演算される。一方、照射位置３９ｂのビームは、組合せ４２ａには使用されるものの、組合せ４２ｂには使用されない。よって、照射位置３９ｂのビームには、組合せ４２ａの場合の分配率ｗｋ’が演算されるものの、組合せ４２ｂの場合の分配率ｗｋ’が演算されない。逆に、照射位置３９ｄのビームは、組合せ４２ｂには使用されるものの、組合せ４２ａには使用されない。よって、照射位置３９ｄのビームには、組合せ４２ｂの場合の分配率ｗｋ’が演算されるものの、組合せ４２ａの場合の分配率ｗｋ’が演算されない。また、注目グリッド（制御グリッド２７）（黒）用に選択された４つのビームについて演算された分配率ｗｋ’の合計は組合せ数と同じ「２」となる。そこで、各組合せで分配するドーズ量を（１／組合せ数）ずつにする。かかる演算により、注目グリッド（制御グリッド２７）（黒）毎に、選択された４つのビームへ当該制御グリッド２７に照射される予定のドーズ量ｄを分配するためのそれぞれのビームへの分配係数ｗｋが得られる。
【００７７】
ドーズ分配テーブル作成処理工程（Ｓ２１２）として、ドーズ分配テーブル作成部６６は、注目グリッド（制御グリッド２７）（黒）毎に演算された４つのビームへの分配係数ｗｋを注目グリッド（制御グリッド２７）に関連させて定義させたドーズ分配テーブルを作成する。
【００７８】
図１５は、実施の形態１におけるドーズ分配テーブルの一例を示す図である。図１５の例では、座標（ｉ，ｊ）の注目グリッド（制御グリッド２７）（黒）毎に、分配先の４つのビームの識別座標（ｉｋ，ｊｋ）と分配先となる４つのビームへの分配係数ｗｋが定義される。
【００７９】
そして、１つの注目グリッド（制御グリッド２７）（黒）についてのドーズ分配テーブルが作成されたら、当該ストライプ領域内のすべての制御グリッドについてドーズ分配テーブルが作成されるまで、順に次の制御グリッド２７を注目グリッドとして、注目グリッド選定工程（Ｓ２０２）からドーズ分配テーブル作成処理工程（Ｓ２１２）までの各工程を繰り返す。
【００８０】
ストライプ単位の照射量マップ補正工程（Ｓ１３０）として、ドーズ変調部６８は、記憶装置１４２からストライプ単位の照射量マップ作成工程（Ｓ１０４）において作成した制御グリッド２７毎の入射照射量Ｄを定義した照射量マップ（１）を読み出し、制御グリッド２７毎に、ドーズ分配テーブルを用いて、当該制御グリッド２７用の入射照射量Ｄに、演算された分配先となる４つのビームの分配係数ｗｋをそれぞれ乗じた分配ドーズ量を、当該分配先となる４つのビームが設計上照射位置となる制御グリッド２７にそれぞれ分配する。ドーズ変調部６８は、かかる分配によって、照射量マップの制御グリッド２７毎の入射照射量Ｄを変調によって補正して、補正後の変調照射量マップ（２）を作成する。さらに、ドーズ変調部６８は、制御グリッド２７毎の補正後の変調入射照射量Ｄを所定の量子化単位Δで階調化された照射時間ｔに変換して、変調照射量マップ（２）に定義すると良い。
【００８１】
描画工程（Ｓ１４０）として、描画機構１５０は、各制御グリッド２７に照射される予定のドーズ量ｄがそれぞれ対応する３つ以上のビームに分配されたマルチビーム２０を用いて、試料１０１にパターンを描画する。図１５の例では、各制御グリッド２７（設計グリッド）に照射される予定のドーズ量ｄがそれぞれ対応する４つのビームに分配されたマルチビーム２０を用いて、試料１０１にパターンを描画する。具体的には、以下のように動作する。描画対象のストライプ領域３２の各制御グリッド２７へのビームの照射時間ｔは、変調照射量マップ（２）に定義されている。そこで、まず、描画制御部７２は、変調照射量マップ（２）に定義された照射時間ｔデータを描画シーケンスに沿ってショット順に並び替える。そして、ショット順に照射時間ｔデータを偏向制御回路１３０に転送する。偏向制御回路１３０は、ブランキングアパーチャアレイ機構２０４にショット順にブランキング制御信号を出力すると共に、ＤＡＣアンプユニット１３２，１３４にショット順に偏向制御信号を出力する。そして、描画機構１５０は、各制御グリッド２７を照射するように、上述したように、マルチビーム２０を用いて、試料１０１を描画する。実際には、上述したように、各制御グリッド２７を照射するビームの照射位置３９は、設計上の制御グリッド２７から位置がずれるが、ドーズ変調されているため、露光後に形成されるレジストパターン上において形成されるパターンの位置ずれを補正できる。
【００８２】
以上のように、実施の形態１では、各ビームの照射位置の位置ずれを利用してドーズ変調を行うことによって、たとえ欠陥ビーム１１が存在する場合でも、かかる欠陥ビーム１１が存在しないかのように、残りのビームによって所望のパターンを描画できる。そのため、欠陥ビーム１１の補完露光のためにドーズ変調の変調幅を大きくする必要を無くすことができる。
【００８３】
図１６は、実施の形態１におけるドーズ分配により描画されるパターンエッジ位置の一例を示す図である。図１６（ａ）では、比較例における近接ビームへのドーズ分配を行わずに描画する場合に形成されるパターンエッジの一例を示す図である。黒丸は制御グリッド２７を、プラス記号はビーム照射位置を、プラス記号を囲む円はビームが照射するドーズ量を表している。制御グリッドの一部について、ドーズ配分を行う組を実線および破線で表している。縦軸と横軸はマスク上のＸ，Ｙ座標をミクロン単位で表している。Ｙ座標が８１．８８ミクロンから８１．９２ミクロンの領域に幅４０ｎｍのラインパターンがある。よってこのパターン上の制御グリッドと、それからドーズを分配されたビームは０でないドーズを割り当てられている。ラインパターンの端から±１ｎｍの位置を破線で示している。さらに、ビームがレジストに与えるドーズから計算したパターン端位置実線で示している。これはビームがレジストに与えるドーズ分布を２０ｎｍのガウス関数で畳み込み積分を行って求めた、現像プロセスの影響を含めたドーズ分布の等高線のうち現像閾値と一致するものである。比較例では、各ビームが試料面上の所望の制御グリッド２７に照射されないので、図１６（ａ）に示すように、パターンエッジ位置に位置ずれが生じる。これに対して、実施の形態１によれば、近接ビームへのドーズ分配を行っているので、図１６（ｂ）に示すように、パターンエッジ位置に位置ずれが低減できる。また、比較例では、欠陥ビーム１１により照射されるはずの照射位置を別のビームで照射する必要があるため、追加描画が必要となり、スループットが劣化してしまう。多重描画を行った場合でも、いずれかの描画パスにおいて、別のビームで欠陥ビーム１１により照射されなかったドーズ量を余分に照射することになり、照射時間を少なくとも１パス分のドーズ量に相当する時間長くせざるを得ない。よって、最大照射時間が長くなってしまいスループットが劣化してしまう。これに対して、実施の形態１によれば、たとえ欠陥ビーム１１が存在する場合でも、かかる欠陥ビーム１１が存在しないかのように、残りのビームによって描画するので、最大照射時間が欠陥ビーム１１により照射する予定のドーズ量に相当する時間分長くする必要がない。そのため、ドーズ変調の変調幅を小さくできる。よって、比較例に比べて、スループットを向上させることができる。
【００８４】
以上のように、実施の形態１によれば、マルチビーム描画において欠陥ビームが存在する場合でもドーズ変調の変調幅を小さく抑えることができる。よって、最大照射時間の増大を抑制できる。その結果、スループットの劣化を低減できる。なお、図１１に示すドーズ分配テーブル作成工程の内部工程において、注目する制御グリッドと位置が略一致するビームがある場合、Ｓ２０８のドーズ分配率演算工程において前記ビームに対応する分配率ｗｋ’を１に、それ以外のビームに対応する分配率を０にすればよい。
【００８５】
実施の形態２．
実施の形態１では、各制御グリッド２７から近接ビームにドーズ分配する場合に、欠陥ビーム１１を最初から除外して行う場合について説明したが、これに限るものではない。実施の形態２では、欠陥ビーム１１を含めてドーズ分配する場合の構成について説明する。
【００８６】
図１７は、実施の形態２における描画装置の構成を示す概念図である。図１７において、制御計算機１１０内に、さらに、特定部７３、探索部７４、設定部７５、再分配部７６、重心演算部７７、選択部７８、及び修正部７９が配置された点以外は、図１と同様である。よって、ラスタライズ部５０、照射量マップ作成部５２、ビーム位置ずれマップ作成部５４、選択部５６、探索部５８、組合せ設定部６０、ドーズ分配率演算部６２、ドーズ分配係数演算部６４、ドーズ分配テーブル作成部６６、ドーズ変調部６８、描画制御部７２、特定部７３、探索部７４、設定部７５、再分配部７６、重心演算部７７、選択部７８、及び修正部７９といった各「〜部」は、処理回路を有する。かかる処理回路は、例えば、電気回路、コンピュータ、プロセッサ、回路基板、量子回路、或いは、半導体装置を含む。各「〜部」は、共通する処理回路（同じ処理回路）を用いても良いし、或いは異なる処理回路（別々の処理回路）を用いても良い。ラスタライズ部５０、照射量マップ作成部５２、ビーム位置ずれマップ作成部５４、選択部５６、探索部５８、組合せ設定部６０、ドーズ分配率演算部６２、ドーズ分配係数演算部６４、ドーズ分配テーブル作成部６６、ドーズ変調部６８、描画制御部７２、特定部７３、探索部７４、設定部７５、再分配部７６、重心演算部７７、選択部７８、及び修正部７９に入出力される情報および演算中の情報はメモリ１１２にその都度格納される。
【００８７】
図１８は、実施の形態２における描画方法の要部工程を示すフローチャート図である。図１８において、ドーズ分配テーブル作成工程（Ｓ１２８）と、ストライプ単位の照射量マップ補正工程（Ｓ１３０）との間に、ドーズ分配テーブル調整工程（Ｓ１２９）を追加した点以外は、図９と同様である。また、以下、特に説明する点以外の内容は、実施の形態１と同様である。
【００８８】
面積率マップ作成工程（Ｓ１０２）と、ストライプ単位の照射量マップ作成工程（Ｓ１０４）と、ビーム位置ずれ量測定工程（Ｓ１１２）と、ビームアレイ単位のビーム位置ずれ量マップ作成工程（Ｓ１１４）と、ストライプ単位のビーム位置ずれ量マップ作成工程（Ｓ１１６）と、の各工程の内容は、実施の形態１と同様である。
【００８９】
ドーズ分配テーブル作成工程（Ｓ１２８）において、各制御グリッド２７から近接ビームにドーズ分配する場合に、実施の形態２では、例え、欠陥ビームが存在する場合でも、欠陥ビームを含めた３つ以上の近接ビームにドーズ分配する。言い換えれば、ドーズ分配係数演算部６４（分配係数演算部）は、欠陥ビーム１１の有無に関わらず、制御グリッド２７毎に、実際の照射位置が当該制御グリッド２７に近接若しくは略一致する３つ以上のビームに、分配後の各分配ドーズ量の重心位置及び総和が当該制御グリッド２７位置及び当該制御グリッド２７に照射される予定のドーズ量に一致するように当該制御グリッド２７に照射される予定のドーズ量を分配するための、かかる３つ以上のビームの各ビームへの分配係数ｗｋを演算する。実施の形態２では、以下に説明するように、実施の形態１と同様、一例として、４つの近接ビームを３つずつのビームの組に分けて、組合せ毎に、分配率ｗｋ’を演算した後に、４つの近接ビームへの分配係数ｗｋを求める場合について説明する。
【００９０】
注目グリッド選定工程（Ｓ２０２）として、選択部５６は、実施の形態１と同様、対象ストライプ領域３２内の複数の制御グリッド２７のうち、注目する制御グリッドを選択（選定）する。
【００９１】
近接ビーム探索工程（Ｓ２０４）として、探索部５８は、マルチビーム２０の設計上の照射位置となる複数の制御グリッド２７（設計グリッド）の制御グリッド２７毎に、実際の照射位置が当該制御グリッド２７に近接若しくは略一致する４つ以上の近接ビームを探索する。
【００９２】
図１２の例において、実施の形態１では、第１象限（Ａ）において最近接の照射位置となる欠陥ビーム１１を除外した照射位置３９ｂに対応するビームを特定したが、実施の形態２において、探索部５８（近接ビーム選択部）は、第１象限（Ａ）において最近接の照射位置となる欠陥ビーム１１を特定する。また、探索部５８は、その他、第２象限（Ｂ）において最近接の照射位置３９ａに対応するビームと、第３象限（Ｃ）において最近接の照射位置３９ｃに対応するビームと、第４象限（Ｄ）において最近接の照射位置３９ｄに対応するビームと、を探索し、選択する。その他の内容は、実施の形態１と同様である。
【００９３】
ドーズ分配係数演算部６４（分配係数演算部）は、欠陥ビーム１１が定義された欠陥ビーム情報を用いて、制御グリッド２７毎に、実際の照射位置が当該制御グリッド２７に近接若しくは略一致する３つ以上のビームに、分配後の各分配ドーズ量の重心位置及び総和が当該制御グリッド２７位置及び当該制御グリッド２７に照射される予定のドーズ量に一致するように当該制御グリッド２７に照射される予定のドーズ量を分配するための、かかる３つ以上のビームの各ビームへの分配係数ｗｋを演算する。
【００９４】
組合せ設定工程（Ｓ２０６）として、組合せ設定部６０は、マルチビーム２０の設計上の照射位置となる複数の制御グリッド２７の制御グリッド２７毎に、実際の照射位置３９が当該制御グリッド２７に近接若しくは略一致する４つ以上のビームを用いて、実際の照射位置３９が当該制御グリッド２７を取り囲む３つずつのビームにより組合せた複数の組合せ４２ａ，４１ｂを設定する。図１２の例では、第１象限（Ａ）において最近接の照射位置に対応する欠陥ビーム１１と、第２象限（Ｂ）において最近接の照射位置３９ａに対応するビームと、第３象限（Ｃ）において最近接の照射位置３９ｃに対応するビームと、の３つの近接ビームによって１つの組合せ４２ａを設定できる。また、第２象限（Ｂ）において最近接の照射位置３９ａに対応するビームと、第３象限（Ｃ）において最近接の照射位置３９ｃに対応するビームと、第４象限（Ｄ）において最近接の照射位置３９ｄに対応するビームと、の３つの近接ビームによって他の１つの組合せ４２ｂを設定できる。注目する制御グリッド２７（注目グリッド）を取り囲むため、各象限から１つずつ近接ビームを選択する場合、通常、２つの組合せが存在することになる。
【００９５】
ドーズ分配率演算工程（Ｓ２０８）として、ドーズ分配率演算部６２（第１の分配係数演算部）は、複数の組合せの組合せ毎に、当該組合せを構成する３つのビームに、分配後の各分配ドーズ量の重心位置及び総和が当該制御グリッド２７位置及び当該制御グリッド２７に照射される予定のドーズ量に一致するように当該制御グリッド２７に照射される予定のドーズ量を分配するための、当該組合せを構成する３つのビームの各ビームへの分配率ｗｋ’（第１の分配係数）を演算する。分配率ｗｋ’の演算手法は、実施の形態１と同様である。
【００９６】
ドーズ分配係数演算工程（Ｓ２１０）として、ドーズ分配係数演算部６４（第２の分配係数演算部）は、４つ以上のビーム（ここでは例えば４つのビーム）のビーム毎に、当該ビームに対応する分配率ｗｋ’（第１の分配係数）を合計した値を複数の組合せの数で割った、当該制御グリッド２７（設計グリッド）に対する４つ以上のビーム（ここでは例えば４つのビーム）の各ビームの分配係数ｗｋ（第２の分配係数）を演算する。ドーズ分配率演算工程（Ｓ２０８）の段階では、組合せ毎に、当該組合せを構成する３つのビームへのそれぞれの分配率ｗｋ’しか演算されていない。しかし、注目グリッド（制御グリッド２７）（黒）用には、ビームを兼用しながら複数の組合せが存在する。よって、例えば、４象限から得られた４つのビームのうち２つのビームは２つの組合せの両方の構成に使用されるビームとなる。図１２の例では、照射位置３９ａのビームは、組合せ４２ａと組合せ４２ｂの両方に使用される。同様に、照射位置３９ｃのビームは、組合せ４２ａと組合せ４２ｂの両方に使用される。よって、照射位置３９ａのビームと照射位置３９ｃのビームとには、それぞれ組合せ４２ａの場合の分配率ｗｋ’と組合せ４２ｂの場合の分配率ｗｋ’とが演算される。一方、欠陥ビーム１１は、組合せ４２ａには使用されるものの、組合せ４２ｂには使用されない。よって、欠陥ビーム１１には、組合せ４２ａの場合の分配率ｗｋ’が演算されるものの、組合せ４２ｂの場合の分配率ｗｋ’が演算されない。逆に、照射位置３９ｄのビームは、組合せ４２ｂには使用されるものの、組合せ４２ａには使用されない。よって、照射位置３９ｄのビームには、組合せ４２ｂの場合の分配率ｗｋ’が演算されるものの、組合せ４２ａの場合の分配率ｗｋ’が演算されない。また、注目グリッド（制御グリッド２７）（黒）用に選択された４つのビームについて演算された分配率ｗｋ’の合計は組合せ数と同じ「２」となる。そこで、各組合せで分配するドーズ量を（１／組合せ数）ずつにする。かかる演算により、注目グリッド（制御グリッド２７）（黒）毎に、選択された４つのビームへ当該制御グリッド２７に照射される予定のドーズ量ｄを分配するためのそれぞれのビームへの分配係数ｗｋが得られる。
【００９７】
ドーズ分配テーブル作成処理工程（Ｓ２１２）として、ドーズ分配テーブル作成部６６は、注目グリッド（制御グリッド２７）（黒）毎に演算された４つのビームへの分配係数ｗｋを注目グリッド（制御グリッド２７）に関連させて定義させたドーズ分配テーブルを作成する。
【００９８】
そして、１つの注目グリッド（制御グリッド２７）（黒）についてのドーズ分配テーブルが作成されたら、当該ストライプ領域内のすべての制御グリッドについてドーズ分配テーブルが作成されるまで、順に次の制御グリッド２７を注目グリッドとして、注目グリッド選定工程（Ｓ２０２）からドーズ分配テーブル作成処理工程（Ｓ２１２）までの各工程を繰り返す。
【００９９】
以上のようにして作成された制御グリッド毎のドーズ分配テーブルの中には、欠陥ビーム１１が分配先として定義されるものも存在し得る。そこで、実施の形態２では、ドーズ分配テーブル調整工程（Ｓ１２９）において、かかる欠陥ビーム１１に分配されるドーズ量を欠陥ビーム１１の周囲のビームに再分配するようにドーズ分配テーブルを調整する。
【０１００】
図１９は、実施の形態２におけるドーズ分配テーブル調整工程の内部工程を示すフローチャート図である。図１９において、ドーズ分配テーブル調整工程（Ｓ１２９）は、内部工程として、欠陥ビーム特定工程（Ｓ２２２）と、近接ビーム探索工程（Ｓ２２４）と、組合せ設定工程（Ｓ２２６）と、ドーズ再分配工程（Ｓ２２８）と、重心演算工程（Ｓ２３０）と、組合せ選択工程（Ｓ２３２）と、ドーズ分配テーブル修正工程（Ｓ２３４）と、いう一連の工程を実施する。
【０１０１】
欠陥ビーム特定工程（Ｓ２２２）として、特定部７３は、欠陥ビームが識別可能な欠陥ビーム情報を用いて、欠陥ビームを特定する。具体的には、以下のように動作する。特定部７３は、記憶装置１４４からビーム電流量マップ（２）を読み出し、電流量が閾値Ｑｔｈ以下のビームを欠陥ビームとして特定する。
【０１０２】
近接ビーム探索工程（Ｓ２２４）として、探索部７４は、特定された欠陥ビームについて、特定された欠陥ビーム毎に、当該欠陥ビームの周囲に近接する複数の近接ビームを探索する。
【０１０３】
図２０は、実施の形態２における欠陥ビームに近接する近接ビームの探索手法を説明するための図である。探索部７４は、当該欠陥ビーム１１の照射位置を取り囲む４つの制御グリッド２７ａ〜２７ｄからドーズ分配を受ける複数の照射位置に対応するビームを探索し、選択する。具体的には、探索部７４は、当該欠陥ビーム１１を分配先とする制御グリッド２７のドーズ分配テーブルを探索する。通常、欠陥ビーム１１を取り囲む４つの制御グリッド２７ａ〜２７ｄのドーズ分配テーブルが探索される。そして、探索部７４は、欠陥ビーム１１を取り囲む４つの制御グリッド２７ａ〜２７ｄについて、制御グリッド２７（ａ〜ｄ）毎に作成済みのドーズ分配テーブルを記憶装置１４２から読み出し、当該制御グリッド２７から分配される例えば４つの照射位置に対応するビームを探索し、選択すればよい。かかる動作により図２０の例において、探索部７４は、制御グリッド２７ａから当該欠陥ビーム１１以外に、ドーズ分配されるビーム４６ａ，４６ｂ，４６ｇを特定する。また、探索部７４は、制御グリッド２７ｂから当該欠陥ビーム１１以外に、ドーズ分配されるビーム４６ｂ，４６ｄ，４６ｃを特定する。また、探索部７４は、制御グリッド２７ｃから当該欠陥ビーム１１以外に、ドーズ分配されるビーム４６ｃ，４６ｅ，４６ｆを特定する。また、探索部７４は、制御グリッド２７ｄから当該欠陥ビーム１１以外に、ドーズ分配されるビーム４６ｆ，４６ｈ，４６ｇを特定する。以上のようにして、探索部７４は、当該欠陥ビーム１１の周囲の例えば８つのビーム４６ａ〜ｈを特定し、選択する。それぞれの制御グリッド２７（ａ〜ｄ）から当該欠陥ビーム１１以外に特定された複数のビームは重複して抽出される場合が多くなる。作成済みのドーズ分配テーブルを用いることにより、容易に、当該欠陥ビーム１１の周囲の例えば８つのビーム４６ａ〜ｈを特定できる。
【０１０４】
ここで、欠陥ビーム１１のドーズ量を再分配する場合に、次の手法が簡易な手法として用いることができる。当該欠陥ビーム１１が分配先として定義される既に作成された４つの制御グリッド２７（ａ〜ｄ）用のドーズ分配テーブルを用いて、かかる４つの制御グリッド２７（ａ〜ｄ）のうちいずれか１つを選択する。そして、選択された制御グリッド２７用の分配先に定義された４つのビームのうち、当該欠陥ビーム１１以外の残りのビームに再分配する。具定的には以下のように動作する。
【０１０５】
組合せ設定工程（Ｓ２２６）として、設定部７５は、制御グリッド２７（ａ〜ｄ）毎の作成済みのドーズ分配テーブルに定義される当該欠陥ビーム１１と残りの３つのビームとによってそれぞれの組合せが形成される、複数の組合せを設定する。言い換えれば、ドーズ分配テーブルごとに、組を設定する。
【０１０６】
ドーズ再分配工程（Ｓ２２８）として、再分配部７６は、特定された欠陥ビーム１１について、当該欠陥ビーム１１の周囲の複数のビームに、当該欠陥ビームに分配される分配ドーズ量を再分配する。具体的には、以下のように動作する。再分配部７６は、組合せ毎に、欠陥ビーム１１のドーズ分配係数ｗｋがゼロになるまで、当該組合せの４つのビームの当該欠陥ビーム１１以外の３つのビームについてドーズ分配係数ｗｋが小さい方から順にそれぞれ予め設定しておいた閾値ｗｔｈに達するまで欠陥ビーム１１のドーズ分配係数ｗｋの一部を再分配ドーズ量として演算し、割り当てる。或いは、再分配部７６は、組合せ毎に、欠陥ビーム１１のドーズ分配係数ｗｋを個数Ｊ（ここでは３つ）で割った値ｗｋ／Ｊを再分配ドーズ量として演算し、当該組合せの当該欠陥ビーム１１以外の残りのＪ個（ここでは３つ）のビームにそれぞれ均等に割り当てるようにしても好適である。
【０１０７】
重心演算工程（Ｓ２３０）として、重心演算部７７は、組合せ毎に、各ビームに再分配された後のドーズ分配テーブルに定義された例えば４つのビームの各分配ドーズ量の重心位置を演算する。ここでは、分配ドーズ量として、ドーズ分配係数ｗｋに規格化された基準ドーズ量「１」を乗じた値を用いて重心位置を演算すればよい。
【０１０８】
組合せ選択工程（Ｓ２３２）として、選択部７８（再分配ビーム選択部）は、再分配先となる複数の近接ビームとして、複数の組合せの中から再分配による重心位置のずれが、できるだけ小さくなる組合せの近接ビーム群を選択する。具体的には、以下のように動作する。再分配先された後の各分配ドーズ量の重心位置が当該組合せに対応する制御グリッド２７からずれる位置ずれ量が、できるだけ小さくなる組合せを選択する。当該特定ビーム４５が分配先として定義されるドーズ分配テーブルは、４つ存在する場合が多い。そのため、組合せ選択工程（Ｓ２３２）により、かかる４つのドーズ分配テーブルの中から、ドーズを再分配した場合に最も重心ずれが少なくて済むドーズ分配テーブルを選択することになる。
【０１０９】
ドーズ分配テーブル修正工程（Ｓ２３４）として、修正部７９は、選択された組合せのドーズ分配テーブルに定義された４つのビームの分配係数ｗｋを修正する。
【０１１０】
図２１は、実施の形態２における修正後のドーズ分配テーブルの一例を示す図である。図２１において、選択された組合せに対応する座標（ｉ，ｊ）の注目グリッド（制御グリッド２７）（黒）毎に、分配先の識別座標（ｉｋ，ｊｋ）の４つのビームへの分配係数ｗｋがそれぞれ分配係数ｗｋ’に修正される。具体的には、再分配される分の係数Δを再分配される例えば３つのビームの分配係数ｗｋに加算する。そして、欠陥ビーム１１の分配係数については、ゼロになることは言うまでもない。閾値ｗｔｈによっては、欠陥ビーム１１の分配係数がゼロまで到達しない場合があり得るが、ゼロに到達可能な閾値ｗｔｈを予め設定しておけばよい。これにより、選択された組合せのドーズ分配テーブルを修正する。
【０１１１】
或いは、変形例として、ドーズ分配テーブル毎の組合せに関わらず、ドーズの再分配を行っても好適である。かかる場合、以下のように動作する。
【０１１２】
組合せ設定工程（Ｓ２２６）として、設定部７５は、探索されたｍ個の近接ビームの中から予め設定されたＪ個ずつのビームによる複数の組合せを設定する。図２０の例では、当該欠陥ビーム１１の周囲の例えば８つの近接ビーム４６ａ〜ｈが探索されているので、かかる８つの近接ビーム４６ａ〜ｈの中から、ランダムに例えば５個ずつの近接ビームで各組合せを設定する。複数の組合せは、ｍ個の近接ビームの中からＪ個の近接ビームを総当たりで選んで組み合わせると良い。
【０１１３】
ドーズ再分配工程（Ｓ２２８）として、再分配部７６は、特定された欠陥ビーム１１について、当該欠陥ビーム１１の周囲の複数のビームに、当該欠陥ビームに分配される分配ドーズ量を再分配する。具体的には、以下のように動作する。再分配部７６は、組合せ毎に、欠陥ビーム１１のドーズ分配係数ｗｋがゼロになるまで、当該組合せのＪ個の近接ビームについてドーズ分配係数ｗｋが小さい方から順にそれぞれ予め設定しておいた閾値ｗｔｈに達するまで欠陥ビーム１１のドーズ分配係数ｗｋの一部を再分配ドーズ量として割り当てる。或いは、再分配部７６は、組合せ毎に、欠陥ビーム１１のドーズ分配係数ｗｋを個数Ｊで割った値ｗｋ／Ｊを再分配ドーズ量として当該組合せのＪ個のビームにそれぞれ均等に割り当てるようにしても好適である。ここでは、組合せを構成するビーム数Ｊを任意に設定できるので、再分配される再分配ドーズ量（ドーズ分配係数ｗｋの一部）を小さくできる。
【０１１４】
重心演算工程（Ｓ２３０）として、重心演算部７７は、組合せ毎に、各近接ビームに再分配されるドーズ量の重心位置を演算する。ここでは、再分配ドーズ量として、ドーズ再分配係数ｗｋ”に規格化された基準ドーズ量「１」を乗じた値を用いて重心位置を演算すればよい。
【０１１５】
組合せ選択工程（Ｓ２３２）として、選択部７８（再分配ビーム選択部）は、再分配先となる複数の近接ビームとして、複数の組合せの中から再分配による重心位置のずれが、できるだけ小さくなる組合せの近接ビーム群を選択する。具体的には、以下のように動作する。再分配先となるＪ個（複数）の近接ビームとして、再分配される各再分配ドーズ量の重心位置が当該欠陥ビーム１１の照射位置からずれる位置ずれ量が、できるだけ小さくなる組合せの近接ビーム群（Ｊ個のビーム）を選択する。
【０１１６】
ドーズ分配テーブル修正工程（Ｓ２３４）として、修正部７９は、選択された組合せの近接ビーム群（Ｊ個のビーム）のビーム毎に、当該近接ビームが分配先として定義される複数のドーズ分配テーブルを読み出し、それぞれ再分配される再分配ドーズ量に相当する係数（再分配ドーズ分配係数ｗｋ”）を分配先の数で割った再分配係数Δをそれぞれのドーズ分配テーブルに定義されていた元の分配係数に加算するように修正する。例えば、選択された組合せの近接ビーム群の１つに再分配される再分配ドーズ量に相当する係数が０．４であり、分配先のドーズ分配テーブルの数が４つあれば、対応するドーズ分配テーブル毎に、０．１ずつ加算すればよい。
【０１１７】
また、欠陥ビーム１１の分配係数については、選択された組合せの近接ビーム群（Ｊ個のビーム）が定義されるドーズ分配テーブルを読み出し、それぞれのドーズ分配テーブルにおける欠陥ビーム１１の分配係数ｗｋをゼロにする。これにより、選択された組合せの近接ビーム群に関連する各ドーズ分配テーブルを修正する。
【０１１８】
ストライプ単位の照射量マップ補正工程（Ｓ１３０）以降の各工程の内容は実施の形態１と同様である。言い換えれば、描画工程（Ｓ１４０）として、描画機構１５０は、各制御グリッド２７に照射される予定のドーズ量がそれぞれ欠陥ビーム１１を除く対応する３つ以上のビームに分配されたマルチビーム２０を用いて、試料１０１にパターンを描画する。
【０１１９】
実施の形態２では、元々、重心位置が変化しないように分配していたドーズ量の一部を、重心位置をずらして再分配しているので、図１６（ｂ）に示した実施の形態１のパターンエッジに比べて、図１６（ｃ）に示すように少々の位置ずれが生じることになるが、それでも、極力位置ずれ量を小さくできる。
【０１２０】
実施の形態２によれば、欠陥ビーム１１の補完露光のためにドーズ変調の変調幅を大きくする必要を無くすことができる。そのため、欠陥ビーム１１を含めてドーズ分配する場合でも、再分配によって、ドーズ変調の変調幅を小さく抑えることができる。よって、最大照射時間の増大を抑制できる。その結果、スループットの劣化を低減できる。
【０１２１】
実施の形態３．
実施の形態２では、実際の描画パターンに応じた照射量を変調する前の段階で欠陥ビームのドーズ量を再分配するようにドーズ分配テーブルを修正する場合について説明したが、これに限るものではない。実施の形態３では、ドーズ分配テーブルを使って実際の描画パターンに応じた照射量を変調した後の段階で、欠陥ビームのドーズ量を再分配する手法について説明する。
【０１２２】
図２２は、実施の形態３における描画装置の構成を示す概念図である。図２２において、制御計算機１１０内に、さらに、特定部８０、探索部８１、設定部８２、再分配部８３、重心演算部８４、選択部８５、及び変調部８６が配置された点以外は、図１と同様である。よって、ラスタライズ部５０、照射量マップ作成部５２、ビーム位置ずれマップ作成部５４、選択部５６、探索部５８、組合せ設定部６０、ドーズ分配率演算部６２、ドーズ分配係数演算部６４、ドーズ分配テーブル作成部６６、ドーズ変調部６８、描画制御部７２、特定部８０、探索部８１、設定部８２、再分配部８３、重心演算部８４、選択部８５、及び変調部８６といった各「〜部」は、処理回路を有する。かかる処理回路は、例えば、電気回路、コンピュータ、プロセッサ、回路基板、量子回路、或いは、半導体装置を含む。各「〜部」は、共通する処理回路（同じ処理回路）を用いても良いし、或いは異なる処理回路（別々の処理回路）を用いても良い。ラスタライズ部５０、照射量マップ作成部５２、ビーム位置ずれマップ作成部５４、選択部５６、探索部５８、組合せ設定部６０、ドーズ分配率演算部６２、ドーズ分配係数演算部６４、ドーズ分配テーブル作成部６６、ドーズ変調部６８、描画制御部７２、特定部８０、探索部８１、設定部８２、再分配部８３、重心演算部８４、選択部８５、及び変調部８６に入出力される情報および演算中の情報はメモリ１１２にその都度格納される。
【０１２３】
図２３は、実施の形態３における描画方法の要部工程を示すフローチャート図である。図２３において、ストライプ単位の照射量マップ補正工程（Ｓ１３０）と、描画工程（Ｓ１４０）との間に、欠陥ビーム補正工程（Ｓ１３２）を追加した点以外は、図９と同様である。また、以下、特に説明する点以外の内容は、実施の形態１と同様である。
【０１２４】
面積率マップ作成工程（Ｓ１０２）と、ストライプ単位の照射量マップ作成工程（Ｓ１０４）と、ビーム位置ずれ量測定工程（Ｓ１１２）と、ビームアレイ単位のビーム位置ずれ量マップ作成工程（Ｓ１１４）と、ストライプ単位のビーム位置ずれ量マップ作成工程（Ｓ１１６）と、ドーズ分配テーブル作成工程（Ｓ１１８）と、ストライプ単位の照射量マップ補正工程（Ｓ１３０）と、の各工程の内容は実施の形態１と同様である。
【０１２５】
欠陥ビーム補正工程（Ｓ１３２）として、作成された照射量マップ（２）を調整して、欠陥ビーム１１を使用せずに描画できるように、ドーズ分配の仕方を一部修正する。具体的には以下のように動作する。
【０１２６】
特定部８０は、記憶装置１４４からビーム電流量マップ（２）を読み出し、電流量が閾値Ｑｔｈ以下のビームを欠陥ビームとして特定する。
【０１２７】
次に、探索部８１は、特定された欠陥ビーム１１について、欠陥ビーム１１毎に、当該ビームの周囲に近接する複数の近接ビームを探索する。具体的には、以下のように動作する。欠陥ビーム１１の周囲に位置する複数の近接ビームを特定する。実施の形態３では、実施の形態２と同様、探索部８１は、当該欠陥ビーム１１の照射位置（ここでは推定照射位置）を取り囲む４つの制御グリッド２７ａ〜２７ｄからドーズ分配を受ける複数の照射位置に対応するビームを探索し、選択する。実施の形態３では、実施の形態２と同様、探索部８１は、作成済みのドーズ分配テーブルを用いることにより、容易に、当該欠陥ビーム１１の周囲の例えば８つのビーム４６ａ〜ｈを特定できる。
【０１２８】
設定部８２は、探索されたｍ個の近接ビームの中から予め設定されたＪ個ずつのビームによる複数の組合せを設定する。図２０の例では、当該欠陥ビーム１１の周囲の例えば８つの近接ビーム４６ａ〜ｈが探索されているので、かかる８つの近接ビーム４６ａ〜ｈの中から、ランダムに例えば５個ずつの近接ビームで各組合せを設定する。複数の組合せは、ｍ個の近接ビームの中からＪ個の近接ビームを総当たりで選んで組み合わせると良い。
【０１２９】
次に、再分配部８３は、組合せ毎に、欠陥ビーム１１の入射照射量Ｄがゼロになるまで、当該組合せのＪ個の近接ビームについて、対応するＪ個の制御グリッド２７の入射照射量Ｄが小さい方から順にそれぞれ予め設定された閾値Ｄｔｈに達するまで欠陥ビーム１１の入射照射量Ｄの一部を再分配ドーズ量として割り当てる。或いは、再分配部８３は、組合せ毎に、欠陥ビーム１１の入射照射量Ｄを個数Ｊで割った再分配ドーズ量Ｄ／Ｊを当該組合せのＪ個の近接ビームに対応する制御グリッド２７にそれぞれ均等に割り当てるようにしても好適である。ここでは、組合せを構成するビーム数Ｊを任意に設定できるので、欠陥ビーム１１の入射照射量Ｄの再分配残しの発生を実質的に無くすことができる。
【０１３０】
次に、重心演算部８４は、組合せ毎に、各近接ビームに再分配されるドーズ量の重心位置を演算する。
【０１３１】
次に、選択部８５（再分配ビーム選択部）は、再分配先となる複数の近接ビームとして、複数の組合せの中から再分配による重心位置のずれが、できるだけ小さくなる組合せの近接ビーム群を選択する。具体的には、以下のように動作する。再分配先となるＪ個（複数）の近接ビームとして、再分配される各再分配ドーズ量の重心位置が当該欠陥ビーム１１の照射位置（ここでは推定照射位置）からずれる位置ずれ量が、できるだけ小さくなる組合せの近接ビーム群（Ｊ個のビーム）を選択する。
【０１３２】
変調部８６は、選択された組合せの近接ビーム群（Ｊ個のビーム）の近接ビーム毎に、当該近接ビームに対応する制御グリッド２７の入射照射量Ｄにそれぞれ再分配ドーズ量を加算するドーズ変調を行う。同様に、欠陥ビーム１１に対応する制御グリッド２７の入射照射量Ｄをゼロに変調する。
【０１３３】
以上により、欠陥ビーム１１を描画処理に使用するビーム群の中から実質的に無くすことができる。描画工程（Ｓ１４０）の内容は、実施の形態１と同様である。
【０１３４】
実施の形態３では、元々、重心位置が変化しないように分配していたドーズ量の一部を、重心位置をずらして再分配しているので、少々の位置ずれが生じることになるが、それでも、極力位置ずれ量を小さくできる。
【０１３５】
実施の形態３によれば、欠陥ビーム１１の補完露光のためにドーズ変調の変調幅を大きくする必要を無くすことができる。そのため、欠陥ビーム１１を含めてドーズ分配する場合でも、再分配によって、ドーズ変調の変調幅を小さく抑えることができる。よって、最大照射時間の増大を抑制できる。その結果、スループットの劣化を低減できる。
【０１３６】
以上、具体例を参照しつつ実施の形態について説明した。しかし、本発明は、これらの具体例に限定されるものではない。例えば、上述した例では、再分配する組合せを選択する場合に、重心位置のずれを演算したがこれに限るものではない。対象基準位置（例えば制御グリッドの位置）からの距離の二乗に再分配後のドーズ量を乗じた値の合計が最も小さい組合せを選択しても良い。
【０１３７】
また、上述した例では、各制御回路４１の制御用に１０ビットの制御信号が入力される場合を示したが、ビット数は、適宜設定すればよい。例えば、２ビット、或いは３ビット〜９ビットの制御信号を用いてもよい。なお、１１ビット以上の制御信号を用いてもよい。
【０１３８】
また、装置構成や制御手法等、本発明の説明に直接必要しない部分等については記載を省略したが、必要とされる装置構成や制御手法を適宜選択して用いることができる。例えば、描画装置１００を制御する制御部構成については、記載を省略したが、必要とされる制御部構成を適宜選択して用いることは言うまでもない。
【０１３９】
その他、本発明の要素を具備し、当業者が適宜設計変更しうる全てのマルチ荷電粒子ビーム描画装置及びマルチ荷電粒子ビーム描画方法は、本発明の範囲に包含される。
【符号の説明】
【０１４０】
１１  欠陥ビーム
２０  マルチビーム
２２  穴
２４  制御電極
２５  通過孔
２６  対向電極
２７  制御グリッド
２８  画素
２９  サブ照射領域
３０  描画領域
３２  ストライプ領域
３１  基板
３３  支持台
３４  照射領域
３５  単位領域
３６  画素
３７，３９  照射位置
４１  制御回路
４２  組合せ
４３  直線
４６  アンプ
４７  個別ブランキング機構
５０  ラスタライズ部
５２  照射量マップ作成部
５４  ビーム位置ずれマップ作成部
５６  選択部
５８  探索部
６０  組合せ設定部
６２  ドーズ分配率演算部
６４  ドーズ分配係数演算部
６６  ドーズ分配テーブル作成部
６８  ドーズ変調部
７０  ビーム電流量マップ作成部
７２  描画制御部
７３，８０  特定部
７４，８１  探索部
７５，８２  設定部
７６，８３  再分配部
７７，８４  重心演算部
７８，８５  選択部
７９  修正部
８６  変調部
９０  照射量マップ作成部
１００  描画装置
１０１  試料
１０２  電子鏡筒
１０３  描画室
１０５  ＸＹステージ
１０６  ファラディーカップ
１１０  制御計算機
１１２  メモリ
１３０  偏向制御回路
１３２，１３４  ＤＡＣアンプユニット
１３８  アンプ
１３９  ステージ位置検出器
１４０，１４２，１４４  記憶装置
１５０  描画機構
１６０  制御系回路
２００  電子ビーム
２０１  電子銃
２０２  照明レンズ
２０３  成形アパーチャアレイ基板
２０４  ブランキングアパーチャアレイ機構
２０５  縮小レンズ
２０６  制限アパーチャ基板
２０７  対物レンズ
２０８，２０９  偏向器
２１０  ミラー
３３０  メンブレン領域
３３２  外周領域
【図１】
2019033117.tif 000003
【図２】
2019033117.tif 000004
【図３】
2019033117.tif 000005
【図４】
2019033117.tif 000006
【図５】
2019033117.tif 000007
【図６】
2019033117.tif 000008
【図７】
2019033117.tif 000009
【図８】
2019033117.tif 000010
【図９】
2019033117.tif 000011
【図１０】
2019033117.tif 000012
【図１１】
2019033117.tif 000013
【図１２】
2019033117.tif 000014
【図１３】
2019033117.tif 000015
【図１４】
2019033117.tif 000016
【図１５】
2019033117.tif 000017
【図１６】
2019033117.tif 000018
【図１７】
2019033117.tif 000019
【図１８】
2019033117.tif 000020
【図１９】
2019033117.tif 000021
【図２０】
2019033117.tif 000022
【図２１】
2019033117.tif 000023
【図２２】
2019033117.tif 000024
【図２３】
2019033117.tif 000025